(57)【特許請求の範囲】
【請求項１】
Ａ．液体連続相と、
Ｂ．第１のシロキサン主鎖、第２のシロキサン主鎖、及び前記第１のシロキサン主鎖のケイ素原子と前記第２のシロキサン主鎖のケイ素原子とを架橋する少なくとも１つの分子内構造を含む架橋アミノシロキサンポリマーを含む分散相と、を含み、前記分子内構造が次の化学構造を有し、
【化１】
0006317473.tif 000040
式中、Ｘは以下の基から選択され、
【化２】
0006317473.tif 000041
式中、各Ｒは独立してＣ１〜Ｃ１０炭化水素基であり、
式中、各Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、ａは０又は１である、エマルション。
【請求項２】
前記架橋アミノシロキサンポリマーが次の化学構造を有し、
【化３】
0006317473.tif 000042
式中、Ｘ’は以下の基から選択され、
【化４】
0006317473.tif 000043
式中、各Ｒは独立してＣ１〜Ｃ１０炭化水素基であり、
式中、各Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ２２のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂ及びｄのそれぞれは、独立して１〜１００であり、
式中、ｃ及びｅのそれぞれは、独立して１〜３，０００であり、かつ
式中、ａは０又は１である、請求項１に記載のエマルション。
【請求項３】
前記第１のシロキサン主鎖が次の化学構造を有し、
【化５】
0006317473.tif 000044
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、ｃは１〜３，０００であり、かつ
式中、Ｌは前記分子内構造である、請求項１に記載のエマルション。
【請求項４】
前記第２のシロキサン主鎖が次の化学構造を有し、
【化６】
0006317473.tif 000045
式中、Ｒ１４〜Ｒ２２のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｄは１〜１００であり、ｅは１〜３，０００であり、かつ
式中、Ｌは前記分子内構造である、請求項１に記載のエマルション。
【請求項５】
前記架橋アミノシロキサンポリマーが、アミノ基を有するポリオルガノシロキサンとα，β−不飽和カルボン酸アミド基を有するポリオルガノシロキサンとの反応生成物を含む、請求項１に記載のエマルション。
【請求項６】
制限ｏ）及びｐ）の１つ又は両方を更に含む、請求項５に記載のエマルション：
ｏ）前記アミノ基を有する前記ポリオルガノシロキサンが次の化学式を有し、
【化７】
0006317473.tif 000046
式中、Ｒは独立してＣ１〜Ｃ１０炭化水素基であり、
式中、Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、
式中、ｃは１〜３，０００であり、
式中、ａは０又は１である；
ｐ）前記α，β−不飽和カルボン酸アミド基を有する前記ポリオルガノシロキサンが、次の化学式：
【化８】
0006317473.tif 000047
【化９】
0006317473.tif 000048
の１つを有し、式中、Ｒは独立してＣ１〜Ｃ１０炭化水素基であり、
式中、Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、
式中、ｃは１〜３，０００であり、かつ
式中、ａは０又は１である。
【請求項７】
前記α，β−不飽和カルボン酸アミド基を有する前記ポリオルガノシロキサンが、第２のポリオルガノシロキサンと無水マレイン酸及び／又は無水イタコン酸との反応生成物であり、前記第２のポリオルガノシロキサンがアミノ基を有する、請求項６に記載のエマルション。
【請求項８】
式中、ａは１であるか又はａは０である、請求項１〜７のいずれか一項に記載のエマルション。
【請求項９】
前記分散相の前記架橋アミノシロキサンポリマーがゲル又は液体である、請求項１〜８のいずれか一項に記載のエマルション。
【請求項１０】
前記架橋アミノシロキサンポリマーが前記連続相中に分散した粒子として存在し、前記分散粒子が１５μｍ未満の粒径を有する、請求項１〜９のいずれか一項に記載のエマルション。
【請求項１１】
２５℃で１０〜３０，０００ｃｐｓの総粘度を有する、請求項１〜１０のいずれか一項に記載のエマルション。
【請求項１２】
前記架橋アミノシロキサンポリマーが、前記エマルション１００重量部当たり１０〜９０重量部の量で前記エマルション中に存在する、請求項１〜１１のいずれか一項に記載のエマルション。
【請求項１３】
１，０００，０００ｇ／モル以下のＭｗを有するポリジアルキルシロキサンを更に含み、前記ポリジアルキルシロキサンの前記アミノシロキサンポリマーに対する比が０．１〜１００である、請求項１〜１２のいずれか一項に記載のエマルション。
【請求項１４】
エマルション内で架橋アミノシロキサンポリマーを生成する方法であって、前記方法が、
Ｉ．第１の連続相とアミノ基を有するポリオルガノシロキサンを含む第１の分散相とを含む第１のエマルションを提供する工程、
ＩＩ．無水マレイン酸及び／又は無水イタコン酸を提供する工程、
ＩＩＩ．前記無水マレイン酸及び／又は無水イタコン酸と前記第１のエマルションとを組み合わせて、第２のエマルション及び前記第２のエマルション中にその場で前記架橋アミノシロキサンポリマーを生成する工程、
を含み、前記第２のエマルションが第２の連続相と前記架橋アミノシロキサンポリマーを含む第２の分散相とを含み、
前記架橋アミノシロキサンポリマーは、第１のシロキサン主鎖、第２のシロキサン主鎖、及び前記第１のシロキサン主鎖のケイ素原子と前記第２のシロキサン主鎖のケイ素原子とを架橋する少なくとも１つの分子内構造を含み、前記分子内構造が次の化学構造を有し、
【化１０】
0006317473.tif 000049
式中、Ｘは以下の基から選択され、
【化１１】
0006317473.tif 000050
式中、各Ｒは独立してＣ１〜Ｃ１０炭化水素基であり、
式中、各Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、ａは０又は１である、方法。
【請求項１５】
前記第２のエマルションを２０℃から８０℃の温度に加熱する工程を更に含む、請求項１４に記載の方法。
【請求項１６】
前記第２のエマルションが、水中油型エマルションとして更に定義される、請求項１４又は１５に記載の方法。
【請求項１７】
前記無水マレイン酸及び／又は無水イタコン酸を提供する前記工程が、前記アミノ基を有する前記ポリオルガノシロキサンの前記アミノ基１モル当たり０．０１〜０．４モルの無水マレイン酸及び／又は無水イタコン酸を提供する工程として更に定義される、請求項１４〜１６のいずれか一項に記載の方法。
【請求項１８】
前記アミノ基を有する前記ポリオルガノシロキサンが次の化学式を有し、
【化１２】
0006317473.tif 000051
式中、Ｒは独立してＣ１〜Ｃ１０炭化水素基であり、
式中、Ｒ１は独立してＣ１〜Ｃ１０炭化水素基であり、
式中、Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、又はポリアルキレンオキシ基であり、
式中、ｂは１〜１００であり、
式中、ｃは１〜３，０００であり、かつ
式中、ａは０又は１である、請求項１４〜１７のいずれか一項に記載の方法。
【請求項１９】
前記マレイン酸が前記アミノ基を有する前記ポリオルガノシロキサンと反応して、前記第２のエマルションの前記第２の分散相内にその場でポリオルガノシロキサンを生成し、前記ポリオルガノシロキサンがα，β−不飽和カルボン酸アミド基を有する、請求項１４〜１８のいずれか一項に記載の方法。
【請求項２０】
前記α，β−不飽和カルボン酸アミド基を有する前記ポリオルガノシロキサンが、次の化学式を有し、
【化１３】
0006317473.tif 000052
式中、Ｒは独立してＣ１〜Ｃ１０炭化水素基であり、
式中、Ｒ１は独立してＣ１〜Ｃ１０炭化水素基であり、
式中、Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、又はポリアルキレンオキシ基であり、
式中、ｂは１〜１００であり、
式中、ｃは１〜３，０００であり、かつ
式中、ａは０又は１である、請求項１９に記載の方法。
【請求項２１】
前記α，β−不飽和カルボン酸アミド基を有する前記ポリオルガノシロキサンが、前記アミノ基を有する前記ポリオルガノシロキサンとその場で反応して、前記第２のエマルションの前記第２の分散相内に前記架橋アミノシロキサンポリマーを生成する、請求項１９又は２０に記載の方法。
【請求項２２】
前記アミノシロキサンポリマーが次の化学構造を有し、
【化１４】
0006317473.tif 000053
式中、Ｒは独立してＣ１〜Ｃ１０炭化水素基であり、
式中、Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、
式中、ｃは１〜３，０００であり、かつ
式中、ａは０又は１である、請求項１４〜２１のいずれか一項に記載の方法。
【請求項２３】
前記アミノ基を有する前記ポリオルガノシロキサンが、前記第１のエマルション１００重量部当たり１０〜７０重量部の量で前記第１のエマルションの前記第１の分散相中に存在する、請求項１４〜２２のいずれか一項に記載の方法。
【請求項２４】
前記無水マレイン酸及び／又は無水イタコン酸が、前記第２のエマルション１００重量部当たり１０〜９０重量部の量で前記第２のエマルションの前記第２の分散相中に存在する、請求項１４〜２３のいずれか一項に記載の方法。
【請求項２５】
前記第１の分散相及び／又は前記第２の分散相が、１，０００，０００ｇ／モル以下のＭｗを有するポリジアルキルシロキサンを更に含む、請求項１４〜２４のいずれか一項に記載の方法。
【請求項２６】
前記第２の分散相が前記ポリジアルキルシロキサンを含み、前記ポリジアルキルシロキサンの前記アミノシロキサンポリマーに対する比が０．１〜１００である、請求項２５に記載の方法。
【発明の詳細な説明】
【技術分野】
【０００１】
（関連出願の相互参照）
本出願は、２０１４年５月２１日出願の米国特許仮出願第６２／００１４１５号に対する利益を主張するものであり、その内容は、参照することにより本明細書に組み込まれる。
【０００２】
本開示は、一般的に、液体連続相と、特定の化学式を有する分子内構造を含む架橋アミノシロキサンポリマーを含む分散相とを含むエマルションに関する。
【背景技術】
【０００３】
毛髪を特定の形状に保つことは広く望まれている。これを達成する２つの方法は、毛髪の永久的な化学的改変又は一時的改変である。一時的改変は、水又はシャンプーによって取り除くことができる改変である。これは、一般的に、シャンプー及び／又はコンディショニング後並びに乾燥及び／又はスタイリング前に、湿らせた毛髪に組成物を塗布することによって達成されている。セット効果を提供するために使用される材料は、樹脂又はガムであり、ムース、ジェル、ローション、又はスプレーの形態で販売されている。
【先行技術文献】
【特許文献】
【０００４】
【特許文献１】米国特許第６，０５１，２１６号
【特許文献２】米国特許第５，９１９，４４１号
【特許文献３】米国特許第５，９８１，６８０号
【特許文献４】国際公開第２００４／０６０２７１号
【特許文献５】国際公開第２００４／０６０１０１号
【発明の概要】
【発明が解決しようとする課題】
【０００５】
しかしながら、これらの材料は、毛髪の櫛の通り難さを増大し、毛髪の感触を低下する傾向があり、扱い難くなり得る。したがって、改善の余地がある。
【課題を解決するための手段】
【０００６】
本開示は、液体連続相と、架橋アミノシロキサンポリマーを含む分散相とを含むエマルションを提供する。架橋アミノシロキサンポリマーは、第１のシロキサン主鎖、第２のシロキサン主鎖、及び第１のシロキサン主鎖のケイ素原子と第２のシロキサン主鎖のケイ素原子とを架橋する少なくとも１つの分子内構造を含有する。分子内構造は、次の化学構造を有し、
【０００７】
【化１】
0006317473.tif 000002
【０００８】
式中、Ｘは以下の基から選択され；
【０００９】
【化２】
0006317473.tif 000003
【００１０】
式中、各Ｒは独立してＣ１〜Ｃ１０炭化水素基であり、各Ｒ１は独立してＣ１〜Ｃ１０炭化水素基であり、各Ｒ２は独立して水素原子、ＯＨ、Ｃ１〜Ｃ１２炭化水素基、フェニル基、Ｒ’（ＯＲ”）ｍ（式中、ｍは１〜３である）、又はＲ’ＯＨであり、式中、Ｒ’及びＲ”のそれぞれは独立してアルキル基であり、かつ式中、ａは０又は１である。本開示は、エマルションを生成する方法も提供する。
【００１１】
本開示の他の利点は容易に理解されるが、以下の発明を実施するための形態を参照し、添付の図面と併せて考慮することによってより良く理解される。
【図面の簡単な説明】
【００１２】
【図１】実施例１に関する周波数変調のプロットである。
【図２】実施例２に関する周波数変調のプロットである。
【発明を実施するための形態】
【００１３】
本開示は、エマルションを提供する。エマルションは、典型的には、液体連続相と、上記連続相中に分散した分散相とを含む。分散相は、液体、固体、ゲル、エラストマー、ゴム等であってもよい。あるいは、エマルションは、液体連続相と、固体、ゲル、エラストマー、又はゴム分散相とを含み得、より正確には、分散液と記載できる。しかしながら、本開示の目的で、専門用語「分散液」と「エマルション」とは互換可能に使用される。
【００１４】
エマルションの分散相は、典型的には、以下により詳細に記載され、以後「アミノシロキサンポリマー」と記載される架橋アミノシロキサンポリマーの粒子であるか又はこれを含む。
【００１５】
アミノシロキサンポリマーは、エマルション中に、エマルション１００重量部当たり、０．１〜９０、１０〜７０、又は１５〜６０重量部の量で存在してもよい。他の実施形態において、アミノシロキサンポリマーは、エマルション１００重量部当たり、５〜９０、１０〜８５、１５〜８０、２０〜７５、２５〜７０、３０〜６５、３５〜６０、４０〜５５、又は４５〜５０重量部の量で存在する。上記値の間の全ての値及び値の範囲が、種々の非限定的実施形態において明示的に想到される。
【００１６】
専門用語「粒子」は、単一の粒子又は複数の粒子を指すことができる。したがって、専門用語「粒子」及び「粒子類」は、本明細書で同義的に使用される。典型的には、粒子はエマルション中に分散されている。換言すれば、粒子は「分散粒子」であり得る。粒子自体は、固体、ゲル、液体、又はこれらの組み合わせであってもよい。粒子は通常、液体連続相と不混和性であり、液体連続相中に分散される、液体又は固体である。粒子は希釈剤として液体を含んでもよく、その結果、外部又は追加の液体がエマルションに添加されない。あるいは、エマルションは、任意の希釈剤と無関係な液体を含んでもよい。
【００１７】
粒子は、種々のサイズであってもよい。種々の実施形態において、エマルションは、例えば、体積で、１ｎｍ〜１０μｍ、１μｍ未満、１ｎｍ〜１μｍ、１００ｎｍ〜１０００ｎｍ、１０ｎｍ〜２００ｎｍ又は０．２〜５μｍのサイズを有する粒子を含む。他の実施形態において、エマルションは、例えば、体積で、２０〜１９０、３０〜１８０、４０〜１７０、５０〜１６０、６０〜１５０、７０〜１４０、８０〜１３０、９０〜１２０、又は１００〜１１０ｎｍのサイズを有する粒子を含む。更に別の実施形態において、エマルションは、例えば体積で、０．３〜４．９、０．４〜４．８、０．５〜４．７、０．６〜４．６、０．７〜４．５、０．８〜４．４、０．９〜４．３、１〜４．２、１．１〜４．１、１．２〜４、１．３〜３．９、１．４〜３．８、１．５〜３．７、１．６〜３．６、１．７〜３．５、１．８〜３．４、１．９〜３．３、２〜３．２、２．１〜３．１、２．２〜３、２．３〜２．９、２．４〜２．８、２．５〜２．７、又は２．５〜２．６μｍのサイズを有する粒子を含む。上記値の間の全ての値及び値の範囲が、種々の非限定的実施形態において明示的に想到される。
【００１８】
別の実施形態において、エマルションは、ナノエマルションに分類されてもよい。エマルションは、当業者の要望に応じて、上記のサイズよりも小さい又は大きい粒子を含んでもよい。粒子は、典型的には、１０２〜１０−３Ｈｚの振動処理（周波数掃引）のレオメーターを用いて測定して、１０〜１Ｅ７又は１Ｅ３〜１Ｅ６ｃＰの動的粘度を有する。しかしながら、粒子は、所望によりこの範囲外の動的粘度を有し得る。上記値の間の全ての値及び値の範囲が、種々の非限定的実施形態において明示的に想到される。
【００１９】
一実施形態において、エマルションは、液体（連続相として）を含み、粒子はその液体中に分散される。あるいは、液体は、任意の他の構成成分とは無関係に添加される外部液体であってもよい。一実施形態において、液体は非極性液体である。別の実施形態において、液体は、アルコール又は水のような極性液体である。典型的には、液体は水である。水は、水道水、井戸水、精製水、脱イオン水、及びこれらの組み合わせであってもよく、エマルションの種類に応じて様々な量でエマルション中に存在してもよい。別の実施形態において、エマルションは非極性液体（例えば、非極性液体粒子）を分散相として含み、極性液体を連続相として含む。種々の実施形態において、液体は、エマルションの総量が１００重量部を超えない限り、エマルション１００重量部当たり２０〜８０、３０〜７０、４０〜６０、又は約５０重量部の量で存在してもよい。
【００２０】
エマルションは、「コロイド」又は「コロイド分散液」として更に定義されてもよく、この専門用語は互換可能に使用できる。典型的には、コロイドは、連続相に分散した１００ナノメートル未満のサイズの粒子を含む。コロイドは、多数の方法で分類され得る。コロイドは、可逆性（すなわち、１つを超える状態で存在する）でも不可逆性でもよい。更に、コロイドは弾性又は粘弾性でもよい。
【００２１】
当該技術分野で理解されるように、エマルションは、典型的には、分散相及び連続相の化学的性質に従って４つのカテゴリのうちの１つに分類される。第１のカテゴリは、水中油型（Ｏ／Ｗ）エマルションである。Ｏ／Ｗエマルションは、通常、粒子を形成する水性連続相（例えば、水）中に非極性分散相（例えば、油）を含む。本開示の目的で、専門用語「油」は、非極性分子を包含し、任意の非極性化合物を包含してもよく、本開示の粒子を包含してもよい。エマルションの第２のカテゴリは、油中水型（Ｗ／Ｏ）エマルションである。Ｗ／Ｏエマルションは、通常、水又はその他の親水性物質又はこれらの混合物のような極性分散相を、疎水性の油又はポリマーのような非極性連続相中に含む。第３のカテゴリは、水中油中水型（Ｗ／Ｏ／Ｗ）エマルションである。この種類のエマルションは、非極性連続相中に極性分散相を含み、この非極性連続相が、極性連続相中に分散している。例えば、Ｗ／Ｏ／Ｗエマルションは、連続する水相中に分散した大きな油の液滴内に封入された水の液滴を含んでもよい。第４のカテゴリは、水中水型（Ｗ／Ｗ）エマルションである。この種類のエマルションは、水性溶媒和分子（例えば、本開示の粒子）を連続水溶液中に含み、その際水性溶媒和分子と連続水溶液の両方が水溶性である異なる分子を含有する。いかなる特定の理論にも束縛されるものではないが、上記の種類のエマルションは、分散相と連続相との両方の水素結合、パイスタッキング、及び／又は塩架橋に依存すると考えられる。本開示において、エマルションは、上記の４種類のエマルションのいずれか１つとして、更に定義されてもよい。
【００２２】
当該技術分野においても既知のとおり、エマルションは、ある程度不安定となり得る。通常、以下を含む３種の不安定性が存在する：（ｉ）分散相の粒子が連続相内に塊を形成する、凝集、（ｉｉ）分散相の粒子がそれぞれ連続相の上部又は底部に向かって濃縮する、クリーミング又は沈殿、及び（ｉｉｉ）分散相の粒子が合体し、連続相内で液体の層を形成する、破壊及び合体。本エマルションは、上記の種類のうちの１つ又は複数の不安定性を示し得る。典型的には、この種の不安定性は最少化される。
【００２３】
当該技術分野においても既知のとおり、エマルションは典型的には、総粘度と分散相の粘度という、２つの異なる種類の粘度を有する。本開示のエマルションは、典型的には、２５℃の温度で少なくとも１０ｍｍ２／ｓ（１０センチストークス）の総粘度を有する。種々の実施形態において、エマルションは、２５℃の一定温度及び５ｒｐｍの回転速度で運転する加熱セル及びＳＣ４−３１スピンドルを装備したブルックフィールド回転粘度計を用いて、２５℃で１０〜５０ｍｍ２／ｓ（１０〜５０センチストークス）、より典型的には、約１０〜５００（約１０〜５００）、又は約５０〜２００ｍｍ２／ｓ（約５０〜２００センチストークス）の総粘度を有する。分散相の粘度は、限定されず、総粘度に影響しないと考えられる。一実施形態では、分散相は固体であり、無限粘度を有する。上記値の間の全ての値及び値の範囲が、種々の非限定的実施形態において明示的に想到される。
【００２４】
エマルションは、１種の界面活性剤又は１種を超える界面活性剤も含んでもよい。界面活性剤は、当業者が理解するように、互いに同じ又は異なるＨＬＢを有してもよく、互いに独立してシリコーン又は非シリコーン界面活性剤であってもよい。種々の実施形態において、１種以上の界面活性剤のＨＬＢは、５〜２０、６〜１９、７〜１８、８〜１７、９〜１６、１０〜１５、１１〜１４又は１２〜１３であってもよい。全ての値及びその間の値の範囲も、種々の非限定的実施形態において明示的に想到される。
【００２５】
種々の実施形態において、以下の界面活性剤の１種以上が利用され、そのＨＬＢは括弧内の値である：Ｇｅｎａｐｏｌ  ＵＤ  ０５０／ＵＤ  １１０（ＨＬＢ：１１．４／１４．４）；Ｂｒｉｊ  Ｌ４／Ｌ２３（ＨＬＢ：９．７／１６．９）；Ｔｅｒｇｉｔｏｌ  １５Ｓ５／１５Ｓ１５（ＨＬＢ：１０．５／１５．４）；Ｔｗｅｅｎ  ２０（ＨＬＢ：１６．７）；及び／若しくはＬｕｔｅｎｓｏｌ  ＸＰ−５０−１４０（ＨＬＢ：１０−１６）、又はこれらの組み合わせ。
【００２６】
種々の実施形態において、エマルションは、（第１の）界面活性剤と第２の界面活性剤、又は複数の界面活性剤を含む。界面活性剤は、乳化剤、エマルジェント（emulgent）、及び表面活性剤としても既知である。本開示に関して、専門用語「界面活性剤」、「乳化剤」、「エマルジェント」、及び「表面活性剤」は、同義的に使用されてもよい。界面活性剤は、液体−気体界面において吸着することよって、液体の表面張力を低減させる。界面活性剤はまた、液体−液体界面において吸着することによって、極性分子と非極性分子との間の界面張力を低減させる。いかなる特定の理論によっても拘束されるものではないが、界面活性剤は、これらの界面にて働き、排除体積反発力、静電相互作用力、ファンデルワース力、エントロピー力、及び立体力（steric force）を含む、様々な力に依存すると考えられる。本開示において、界面活性剤は、これらの力のうちの１つ以上に基づいて選択又は操作されてよい。
【００２７】
界面活性剤、第１及び第２の界面活性剤、又は第１の／第２の／及び多数の界面活性剤は、独立して、非イオン性界面活性剤、カチオン性界面活性剤、アニオン性界面活性剤、両性界面活性剤、及びそれらの組み合わせの群から選択されてよい。好適な非イオン性界面活性剤としては、アルキルフェノールアルコキシレート、エトキシ化及びプロポキシル化脂肪族アルコール、アルキルポリグルコシド及びヒドロキシアルキルポリグルコシド、ソルビタン誘導体、Ｎ−アルキルグルカミド、例えば、エチレンオキシド、プロピレンオキシド、及び／又はブチレンオキシドのブロックコポリマー等のアルキレンオキシドブロックコポリマー、ポリヒドロキシ及びポリアルコキシ脂肪酸誘導体、アミンオキシド、シリコーンポリエーテル、ポリサッカライドをベースとする様々なポリマー界面活性剤、ポリビニルアルコール及びポリアクリルアミドをベースとするポリマー界面活性剤、並びにそれらの組み合わせが挙げられるが、これらに限定されない。
【００２８】
好適なカチオン性界面活性剤としては、これらに限定されないが、例えば、ハロゲン化アルキルジメチルアンモニウム等のアンモニウム基を含む界面活性化合物、及び化学式ＲＲ’Ｒ’’Ｒ’’’Ｎ＋Ｘ−を有する化合物が挙げられ、式中、Ｒ、Ｒ’、Ｒ’’、及びＲ’’’は独立して、アルキル基、アリール基、アルキルアルコキシ基、アリールアルコキシ基、ヒドロキシアルキル（アルコキシ）基、及びヒドロキシアリール（アルコキシ）基の群から選択され、Ｘはアニオンである。
【００２９】
好適なアニオン性界面活性剤としては、脂肪族アルコールサルフェート、及びエトキシ化脂肪族アルコールの硫酸塩が挙げられるが、これらに限定されない。好適なアニオン性界面活性剤の更なる非限定的な例としては、アルカンスルホネート、直鎖アルキルベンゼンスルホネート、直鎖アルキルトルエンスルホネート、ジフェニルスルホネート、及びジフェニルエーテルスルホネートが挙げられる。また更に、アニオン性界面活性剤は、オレフィンスルホネート及びジスルホネート、アルケンスルホネートとヒドロキシアルカンスルホネート又はジスルホネートとの混合物、アルキルエステルスルホネート、スルホン化ポリカルボン酸、アルキルグリセリルスルホネート、脂肪酸グリセロールスルホン酸エステル、アルキルフェノールポリグリコールスルホン酸エステル、パラフィンスルホネート、アルキルホスフェート、アシルイソチオネート、アシルタウレート、アシルメチルタウレート、アルキルコハク酸、アルケニルコハク酸及びその対応するエステルとアミド、アルキルスルホコハク酸及び対応するアミド、スルホコハク酸のモノエステル及びジエステル、アシルサルコシネート、硫酸化アルキルポリグルコシド、アルキルポリグリコールカルボキシレート、ヒドロキシアルキルサルコシネート、並びにそれらの組み合わせを含んでもよい。また更に、アクリル酸又はスルホン化ポリスチレン、及びそれらの組み合わせをベースにしたポリマーアニオン性界面活性剤も、使用されてよい。好適な両性界面活性剤としては、アニオン基を含む第二級及び／又は第三級アミンの脂肪族誘導体、ベタイン誘導体、並びにそれらの組み合わせが挙げられるが、これらに限定されない。
【００３０】
加えて、界面活性剤並びに／又は第１及び第２の界面活性剤は、独立して、脂肪族及び／又は芳香族のアルコキシル化アルコール、ＬＡＳ（直鎖アルキルベンゼンスルホネート）、パラフィンスルホネート、ＦＡＳ（脂肪族アルコールスルフェート）、ＦＡＥＳ（脂肪族アルコールエーテルスルホネート）、アルキレングリコール、トリメチロールプロパンエトキシレート、グリセロールエトキシレート、ペンタエリトリトールエトキシレート、ビスフェノールＡのアルコキシレート、４−メチルヘキサノール及び５−メチル−２−プロピルヘプタノールのアルコキシレート、並びにそれらの組み合わせを含んでもよい。更に、界面活性剤並びに／又は第１及び第２の界面活性剤は、直鎖若しくは分枝鎖アルキル基、直鎖若しくは分枝鎖アルケニル基、アルキルフェニル基、アルキレン基、及び／又はそれらの組み合わせを含むアルキルポリサッカライドを含んでもよい。典型的には、界面活性剤は、エマルション１００重量部当たり、０．１〜１００、より典型的には０．０１〜５、更により典型的には０．５〜５、最も典型的には１．５〜２．５重量部の量で存在する。
【００３１】
エマルションはまた、増粘剤を含んでもよい。当該技術分野において既知のとおり、増粘剤は、より高い剪断速度ではエマルションの流動特性を維持しながら、低い剪断速度においてエマルションの粘度を増加させる。本開示における使用に好適な増粘剤としては、ポリエチレンオキシド、ポリプロピレンオキシド、ポリブチレンオキシド等のポリアルキレンオキシド、及びそれらの組み合わせが挙げられるが、これらに限定されない。一実施形態では、増粘剤は、アルギン酸（algenic acid）及びその誘導体、ポリエチレンオキシド、ポリビニルアルコール、メチルセルロース、ヒドロキシプロピルメチルセルロース、アルキル及びヒドロキシアルキルセルロース、カルボキシメチルセルロース、ヒドロキシエチルセルロース、グアーガム、アラビアガム、ガティガム（gum ghatic）、ポリビニルピロリドン、デンプン、加工デンプン、タマリンドガム、キサンタンガム、ポリアクリルアミド、ポリアクリル酸、並びにそれらの組み合わせの群から選択される。
【００３２】
増粘剤は、エマルションが生成される前に、液体又は任意のその他の構成成分と組み合わされてもよい。典型的には、増粘剤は、エマルションが生成される前に液体と組み合わされる。一実施形態において、増粘剤は、増粘剤が溶解しない液体と組み合わされ、この混合物を、エマルション生成後にエマルションと組み合わせる。かかる液体の例としては、プロピレングリコール、エチレングリコール、グリセリン、及びそれらの組み合わせが挙げられるが、これらに限定されない。増粘剤は、エマルション１００重量部当たり、０．００１〜２５、より典型的には０．０５〜５、最も典型的には０．１〜０．５重量部の量で存在し得る。
【００３３】
エマルションはまた、添加剤を含んでもよい。添加剤としては、伝導率強化添加剤、塩、染料、香料、防腐剤、可塑剤、活性成分、着色剤、標識剤、錆止め剤、及びこれらの組み合わせが挙げられ得るが、これらに限定されない。一実施形態では、伝導率強化添加剤は、イオン性化合物を含む。別の実施形態では、伝導率強化添加剤は概して、アミン、有機塩及び無機塩、並びにそれらの混合物の群から選択される。典型的な伝導率強化添加剤としては、アミン、第四級アンモニウム塩、第四級ホスホニウム塩、第三級スルホニウム塩、及び無機塩と有機リガンドとの混合物が挙げられる。より典型的な伝導率強化添加剤としては、限定されないが、テトラブチルアンモニウムクロリド、テトラブチルアンモニウムブロミド、テトラブチルアンモニウムヨージド、フェニルトリメチルアンモニウムクロリド、フェニルトリエチルアンモニウムクロリド、フェニルトリメチルアンモニウムブロミド、フェニルトリメチルアンモニウムヨージド、ドデシルトリメチルアンモニウムクロリド、ドデシルトリメチルアンモニウムブロミド、ドデシルトリメチルアンモニウムヨージド、テトラデシルトリメチルアンモニウムクロリド、テトラデシルトリメチルアンモニウムブロミド、テトラデシルトリメチルアンモニウムヨージド、ヘキサデシルトリメチルアンモニウムクロリド、ヘキサデシルトリメチルアンモニウムブロミド、及びヘキサデシルトリメチルアンモニウムヨージド等の第四級アンモニウムベースの有機塩が挙げられる。添加剤は、当業者によって選択される任意の量でエマルションの連続相又は分散相のいずれかに存在してよい。様々な実施形態において、添加剤の量は、典型的には、粒子の総重量を基準として約０．０００１〜約２５％、より典型的には約０．００１〜約１０％、より典型的には約０．０１〜約１％の量である。
【００３４】
エマルションにおいて、連続相、例えば、水、アミノシロキサンポリマー、及び１種以上の界面活性剤又はその他の構成成分の重量比は特に限定されない。しかしながら、種々の実施形態において、上記の３構成成分は、以下に重量パーセントで記載する量で存在する：
【００３５】
【表１】
0006317473.tif 000004
【００３６】
架橋アミノシロキサンポリマー：
【００３７】
架橋アミノシロキサンポリマーは、第１のシロキサン主鎖、第２のシロキサン主鎖、及び第１のシロキサン主鎖のケイ素原子と第２のシロキサン主鎖のケイ素原子とを架橋する少なくとも１つの分子内構造を含有する。用語「架橋」は、第１のシロキサン主鎖と第２のシロキサン主鎖が、少なくとも１カ所で、分子内構造によって接続していることを表す。典型的には、アミノシロキサンポリマーは、第１のシロキサン主鎖と第２のシロキサン主鎖との間に２つ以上の架橋点又は接続点を有する（すなわち分子内構造は第１のシロキサン主鎖と第２のシロキサン主鎖との間に延在する）。種々の実施形態において、アミノシロキサンポリマーは、第１のシロキサン主鎖と第２のシロキサン主鎖との間に、２〜１００、５〜１００、５〜９５、１０〜９０、１５〜８５、２０〜８０、２５〜７５、３０〜７０、３５〜６５、４０〜６０、４５〜５５、５０〜５５、１、２、３、４、５、６、７、８、９、又は１０箇所の接続点又は架橋点を有する。全ての値及びその間の値の範囲も、種々の非限定的実施形態において明示的に想到される。
第１及び第２のシロキサン主鎖：
【００３８】
第１及び第２のシロキサン主鎖は、それぞれが少なくとも１つのケイ素原子を含む限り、特に限定されない。それぞれは独立して、任意のＭ、Ｄ、Ｔ、及びＱ単位を含んでもよい。記号Ｍ、Ｄ、Ｔ、及びＱは、ポリオルガノシロキサンの構造単位の官能性を表す。記号は、当該技術分野で確立された理解に従って使用される。したがって、Ｍは、一官能性単位Ｒ０３ＳｉＯ１／２を表す。Ｄは、二官能性単位Ｒ０２ＳｉＯ２／２を表す。Ｔは、三官能性単位Ｒ０ＳｉＯ３／２を表す。Ｑは、四官能性単位ＳｉＯ４／２を表す。これらの単位の一般的構造式を以下に示す。
【００３９】
【化３】
0006317473.tif 000005
【００４０】
これらの構造／式において、各Ｒ０は任意の炭化水素、芳香族、脂肪族、アルキル、アルケニル、又はアルキニル（alkynl）基であってもよい。同様に、ポリオルガノシロキサンは分子量又は粘度において特に限定されず、流体、ガム、ゲル等であってもよい。
【００４１】
種々の実施形態において、第１のシロキサン主鎖は、次の化学構造を有し、
【００４２】
【化４】
0006317473.tif 000006
【００４３】
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、ｂは１〜１００であり、ｃは１〜３，０００であり、式中、Ｌは分子内構造である。一実施形態では、Ｒ”は、メチルである。
【００４４】
種々の実施形態において、ｍは１、２、又は３である。その他の実施形態において、ｂは１〜１００、５〜９５、１０〜９０、１５〜８５、２０〜８０、２５〜７５、３０〜７０、３５〜６５、４０〜６０、４５〜５５、又は５０〜５５であってよい。更に他の実施形態において、ｃは、１〜３，０００、１〜２，５００、１〜２，０００、１〜１，５００、１〜１，０００、１〜５００、１〜１００、２００〜６００、２５０〜５５０、３００〜５００、３５０〜４５０、又は４００〜４５０であってよい。更に、全ての値及びその間の値の範囲、並びにこれらの値の全ての組み合わせは、種々の非限定的実施形態において明示的に想到される。
【００４５】
その他の実施形態において、第２のシロキサン主鎖は、次の化学構造を有し、
【００４６】
【化５】
0006317473.tif 000007
【００４７】
式中、Ｒ１４〜Ｒ２２のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、ｄは１〜１００であり、ｅは１〜３，０００であり、式中、Ｌは分子内構造である。第１及び第２のシロキサン主鎖は、互いに同じでも異なっていてもよい。一実施形態では、Ｒ”は、メチルである。
【００４８】
種々の実施形態において、ｍは１、２、又は３である。その他の実施形態において、ｄは、１〜１００、５〜９５、１０〜９０、１５〜８５、２０〜８０、２５〜７５、３０〜７０、３５〜６５、４０〜６０、４５〜５５、又は５０〜５５であってよい。更に他の実施形態において、ｅは、１〜３，０００、１〜２，５００、１〜２，０００、１〜１，５００、１〜１，０００、１〜５００、１〜１００、２００〜６００、２５０〜５５０、３００〜５００、３５０〜４５０、又は４００〜４５０であってよい。更に、全ての値及びその間の値の範囲、並びにこれらの値の全ての組み合わせは、種々の非限定的実施形態において明示的に想到される。
【００４９】
更に別の実施形態において、Ｒ５〜Ｒ１３及び／又はＲ１４〜Ｒ２２の１つ、１超、又はそれぞれは、独立して水素原子である。あるいは、Ｒ５〜Ｒ１３及び／又はＲ１４〜Ｒ２２の１つ、１超、又はそれぞれは独立してＣ１〜Ｃ１２炭化水素基、例えば、メチル、エチル、若しくはプロピル基、又は１２個以下の炭素原子を有する任意の炭化水素基であってもよい。より具体的には、炭化水素基は、１、２、３、４、５、６、７、８、９、１０、１１、若しくは１２個の炭素原子又はこれらの間の値の任意の範囲の炭素原子を有してもよい。当該技術分野において既知のとおり、炭化水素は、飽和炭化水素、炭素原子間に１つ以上の二重若しくは三重結合を有する不飽和炭化水素、水素原子が結合した１つ以上の炭素環を有するシクロアルカン、又は芳香族炭化水素を包含し得る。その他の実施形態において、Ｒ５〜Ｒ１３及び／又はＲ１４〜Ｒ２２の１つ、１超、又はそれぞれは、独立してＣ２〜Ｃ１２アルケニル基であってよく、２〜１２の任意の炭素原子数又は炭素原子の範囲を有してもよい。更なる実施形態において、Ｒ５〜Ｒ１３及び／又はＲ１４〜Ｒ２２の１つ、１超、又はそれぞれは、独立してＣ６〜Ｃ１２芳香族基であってもよく、６〜１２の任意の炭素原子数又は炭素原子の範囲を有してもよい。更に別の実施形態において、Ｒ５〜Ｒ１３及び／又はＲ１４〜Ｒ２２の１つ、１超、又はそれぞれは、独立してＲ’（ＯＲ”）ｍであってもよく、式中、Ｒ’及びＲ”のそれぞれは独立してアルキル基であり、ｍは１〜３である。このアルキル基は、例えば、メチル、エチル、若しくはプロピル、又は１２個以下の炭素原子を有する任意の炭化水素基であってもよいが、そのように限定されるものではない。更に別の実施形態において、Ｒ５〜Ｒ１３及び／又はＲ１４〜Ｒ２２の１つ、１超、又はそれぞれは、独立してポリオキシアルキレン基であってもよい。ポリオキシアルキレン基は、別の方法としては、アルキレンオキシド基、例えば、エチレンオキシド基、プロピレンオキシド基、ブチレンオキシド基等、又はこれらの組み合わせとして記載できる。更に別の実施形態において、使用可能な好適なアルキレンオキシド基の例としては、限定するものではないが、エチレンオキシド基、プロピレンオキシド基、ブチレンオキシド基、アミレンオキシド基、これらの混合物、アルキレンオキシド−テトラヒドロフラン混合物、エピハロヒドリン、及びアラルキレンスチレン、並びにこれらの組み合わせが挙げられる。これらの化合物の構造は、当該技術分野において既知である。更に、第１及び第２のシロキサン主鎖のための上記の基の全ての組み合わせが、種々の非限定的実施形態において明示的に想到される。Ｒ５〜Ｒ１３の任意の１つ以上は、Ｒ１４〜Ｒ２２の任意の１つ以上を置換してもよいことが想到される。他の非限定的実施形態において、Ｒ５〜Ｒ１３の任意の１つ以上は、Ｒ１４〜Ｒ２２の任意の１つ以上と同じであってもよい。追加の非限定的実施形態において、Ｒ５〜Ｒ１３の任意の１つ以上が本明細書に示すものである場合はいつでも、Ｒ１４〜Ｒ２２の任意の１つ以上が置換されてもよい。
分子内構造：
【００５０】
アミノシロキサンポリマーは、上で最初に紹介したように、第１のシロキサン主鎖のケイ素原子と第２のシロキサン主鎖のケイ素原子とを架橋する少なくとも１つの分子内構造も含有する。分子内構造は、次の化学構造を有し、
【００５１】
【化６】
0006317473.tif 000008
【００５２】
式中、Ｘは以下の基から選択され、
【００５３】
【化７】
0006317473.tif 000009
【００５４】
式中、各Ｒは独立してＣ１〜Ｃ１０炭化水素基であり、各Ｒ１は独立してＣ１〜Ｃ１０炭化水素基であり、各Ｒ２は独立して水素原子、ＯＨ、Ｃ１〜Ｃ１２炭化水素基、フェニル基、Ｒ’（ＯＲ”）ｍ（式中、ｍは１〜３である）、又はＲ’ＯＨであり、式中、Ｒ’及びＲ”のそれぞれは独立してアルキル基であり、かつ式中、ａは０又は１である。
【００５５】
より具体的には、及び種々の実施形態において、分子内構造は以下の化学構造を有し得る。
【００５６】
【化８】
0006317473.tif 000010
【００５７】
種々の実施形態において、各Ｒは独立してＣ１〜Ｃ１０炭化水素基、例えば、メチル、エチル、若しくはプロピル基、又は１０個以下の炭素原子を有する、例えば、上記のような任意の炭化水素基である。より具体的には、Ｒは１、２、３、４、５、６、７、８、９、若しくは１０個の炭素原子又はこれらの間の値の任意の範囲の炭素原子を有してもよい。更に、ａは０又は１であり、そのため（Ｒ−ＮＨ）は任意選択である。換言すれば、ａが０のとき、（Ｒ−ＮＨ）は存在しない。
【００５８】
Ｒ１は、Ｒに関して上に記載した基のいずれかであってもよく、独立してＲから選択されてもよい。換言すればＲ及びＲ１は互いに同じでも異なっていてもよい。種々の実施形態において、Ｒ２の１つ又は両方は水素原子である。更なる実施形態において、Ｒ２の１つ又は両方はＯＨである。その他の実施形態において、Ｒ２の１つ又は両方は独立して１、２、３、４、５、６、７、８、９、１０、１１若しくは１２個の炭素原子又はその間の値の任意の範囲の炭素原子を有することができるＣ１〜Ｃ１２炭化水素基である。炭化水素基は上記のとおりであってもよい。更に別の実施形態において、Ｒ２の１つ又は両方はフェニル基である。その他の実施形態において、Ｒ２の１つ又は両方はＲ’（ＯＲ”）ｍであり、式中、ｍは１、２、又は３であり、式中、Ｒ’及びＲ”のそれぞれは、独立して上記の任意のものでもよく、又は異なっていてもよいアルキル基である。更に別の実施形態において、Ｒ２の１つ又は両方はＲ’ＯＨであり、式中、Ｒ’は上記のとおりである。
反応生成物：
【００５９】
一実施形態において、アミノシロキサンポリマーは、アミノ基を有するポリオルガノシロキサンと無水マレイン酸及び／若しくは無水イタコン酸との反応生成物であるか又はこれを含む。別の実施形態において、アミノシロキサンポリマーは、アミノ基を有するポリオルガノシロキサンと、それ自体はアミノ基を有するポリオルガノシロキサンと無水マレイン酸及び／若しくは無水イタコン酸との反応から生じ得るα，β−不飽和カルボン酸アミド基を有するポリオルガノシロキサンとの反応生成物であるか又はこれを含む。アミノ基を有するポリオルガノシロキサンと無水マレイン酸及び／又は無水イタコン酸との反応が進行すると、アミノシロキサンポリマーを生成し得るが、その間にα，β−不飽和カルボン酸アミド基を有するポリオルガノシロキサンが、それ自体がアミノ基を有する出発物質のポリオルガノシロキサンの別の分子と反応する中間体として生成する場合がある。
アミノ基を有するポリオルガノシロキサン：
【００６０】
アミノ基を有するポリオルガノシロキサンは、当該技術分野における任意のものであってもよい。例えば、ポリオルガノシロキサンは、上記の任意のＭ、Ｄ、Ｔ、及びＱ単位を含んでもよい。
【００６１】
種々の実施形態において、ポリオルガノシロキサンは、次の化学式を有し、
【００６２】
【化９】
0006317473.tif 000011
【００６３】
式中、Ｒ、Ｒ１、Ｒ２、Ｒ５〜Ｒ２２、ａ、ｂ、ｃ、ｄ、及びｅは上記のとおりである。混合物又は組み合わせも使用してもよい。
【００６４】
α，β−不飽和カルボン酸アミド基を有するポリオルガノシロキサンは、特に限定されない。α，β−不飽和は、アミド基を基準にしてもカルボン酸基を基準にしてもよい。一実施形態において、このポリオルガノシロキサンは、α，β−不飽和カルボン酸アミド基を有すると記述される。
【００６５】
種々の実施形態において、α，β−不飽和カルボン酸アミド基を有するポリオルガノシロキサンは、次の化学式を有し、
【００６６】
【化１０】
0006317473.tif 000012
【００６７】
式中、Ｒ、Ｒ１、Ｒ２、Ｒ５〜Ｒ１３、ａ、ｂ、及びｃは上記のとおりである。
【００６８】
その他の実施形態において、α，β−不飽和カルボン酸アミド基を有するポリオルガノシロキサンは、第２のポリオルガノシロキサンと無水マレイン酸との反応生成物であり、ここで第２のポリオルガノシロキサンはアミノ基を有する。アミノ基を有する第２のポリオルガノシロキサンは、上記のポリオルガノシロキサンと同じでも異なっていてもよい。その他の実施形態において、アミノ基を有する第２のポリオルガノシロキサンは、上記の式を有する。無水マレイン酸は、下記の式及び構造を有する。
【００６９】
【化１１】
0006317473.tif 000013
【００７０】
無水マレイン酸の対称性により、典型的には、上記の反応において、下記の反応スキームに示すように、１種の主生成物のみが生成し、
【００７１】
【化１２】
0006317473.tif 000014
【００７２】
式中、Ｒ、Ｒ１、Ｒ２、Ｒ５〜Ｒ１３、ａ、ｂ、及びｃは上記のとおりである。
【００７３】
その他の実施形態において、α，β−不飽和カルボン酸アミド基を有するポリオルガノシロキサンは、第２のポリオルガノシロキサンと無水イタコン酸との反応生成物であり、ここで第２のポリオルガノシロキサンはアミノ基を有する。アミノ基を有する第２のポリオルガノシロキサンは、上記のポリオルガノシロキサンと同じでも異なっていてもよい。その他の実施形態において、アミノ基を有する第２のポリオルガノシロキサンは、上記の式を有する。無水イタコン酸は、下記の式及び構造を有する。
【００７４】
【化１３】
0006317473.tif 000015
【００７５】
非対称の無水イタコン酸を使用したとき、当該技術分野において理解され、以下の非限定的実施例で示すように、種々の主生成物が生成し得る。しがたって、α，β−不飽和カルボン酸アミド基を有するポリオルガノシロキサンは、下記の構造を有してもよく、下記の反応スキームを用いて生成し得る：
【００７６】
【化１４】
0006317473.tif 000016
【化１５】
0006317473.tif 000017
【００７７】
式中、Ｒ、Ｒ１、Ｒ２、Ｒ５〜Ｒ１３、ａ、ｂ、及びｃは上記のとおりである。
【００７８】
更に別の実施形態において、無水マレイン酸及び／又は無水イタコン酸は、第２のオルガノポリシロキサンのアミノ基１モル当たり０．０１〜０．５、０．１〜０．４、若しくは０．０１〜０．４モル、又は０．０１〜０．３３モル、又はその間の任意の値若しくは値の範囲の量で反応する。
架橋アミノシロキサンポリマー：
【００７９】
アミノシロキサンポリマー自体に戻って言及すると、本明細書で種々の実施形態に記載される場合を除き、特に限定されない。例えば、アミノシロキサンポリマーの重量又は数平均分子量は、特に限定されない。種々の実施形態では、アミノシロキサンポリマーは、３１０〜３００，０００、１０，０００〜１００，０００、１５０００〜６０，０００ｇ／モルの重量平均分子量を有する。同様に、アミノシロキサンポリマーの第１及び第２のシロキサン主鎖の重合度は特に限定されない。種々の実施形態において、重合度は１〜３，０００、１００〜１０００、又は２００〜６００である。更に、シロキサン主鎖のｂとｃの比、及び／又はｄとｅの比は特に限定されない。種々の実施形態において、この比は０．０１〜１、０．０１〜０．５、又は０．０１〜０．２である。更に、ポリマーの粘度は、特に限定されない。種々の実施形態において、粘度は、ブルックフィールド粘度計を用いて２５℃で測定したときに、１０〜１００，０００、１００〜１０，０００、又は５００〜５，０００ｃＰである。
エマルション及びアミノシロキサンポリマーの製造方法：
【００８０】
本開示は、エマルションの製造方法及び架橋アミノシロキサンポリマーの製造方法も提供する。
【００８１】
アミノシロキサンポリマーを製造する方法は、アミノ基を有するポリオルガノシロキサンを提供する工程、無水マレイン酸及び／又は無水イタコン酸を提供する工程、並びに無水マレイン酸及び／又は無水イタコン酸とアミノ基を有するポリオルガノシロキサンとを組み合わせて架橋アミノシロキサンポリマーを生成する工程を含む。提供する工程のそれぞれは、更に当該技術分野において既知のように定義されてもよい。例えば、上記構成成分のそれぞれは、容器、反応器等に提供されてもよく、当業者に理解されるように、任意の適切な温度、圧力、流速、及び量で、バッチ式又は連続的に提供されてもよい。
【００８２】
一実施形態において、アミノ基を有するポリオルガノシロキサンを提供する工程は、第１の連続相とアミノ基を有するポリオルガノシロキサンを含む第１の分散相とを含む第１のエマルションを提供する工程として更に定義される。第１の連続相は、上記の任意の種類の連続相であってもよい。更に、第１のエマルションは、上記の任意の種類のエマルションであってもよい。
【００８３】
更に、無水マレイン酸及び／又は無水イタコン酸とアミノ基を有するポリオルガノシロキサンとを組み合わせて架橋アミノシロキサンポリマーを生成する工程は、無水マレイン酸及び／又は無水イタコン酸への第１のエマルションの添加、又はその逆により、例えば、第２のエマルションを生成する工程として更に定義されてもよい。典型的には、第２のエマルションは第２の連続相と第２の分散相とを含む。第２のエマルションが生成したとき、第２の分散相は、典型的には、アミノ基を有するポリオルガノシロキサン並びに無水マレイン酸及び／若しくは無水イタコン酸であるか又はこれらを含む。その場での反応の後、第２の分散相は、典型的には、アミノシロキサンポリマーであるか又はこれを含む。第２の連続相は、上記の任意の種類の連続相であってもよい。更に、第２のエマルションは、上記の任意の種類のエマルションであってもよい。
【００８４】
この方法は、第１及び／又は第２のエマルションを２０〜９０、２０〜８０、２５〜７５、３０〜７０、３５〜６５、４０〜６０、４５〜５５、若しくは５０〜５５℃の温度で又は上記温度まで加熱して、第２のエマルション内のその場でアミノシロキサンポリマーを生成する工程も含んでもよい。専門用語「その場で」は、アミノシロキサンポリマーがエマルション内、例えば、第２のエマルションの第２の分散相内で生成される実施形態を記述する。しかしながら、アミノシロキサンポリマーは、エマルションと別に生成され、後で当該技術分野において既知の任意の技法を用いて乳化されてもよいことが想到される。
【００８５】
種々の実施形態において、アミノ基を有するポリオルガノシロキサンは、第１のエマルションの第１の分散相中に、第１のエマルション１００重量部当たり、１０〜９０、１０〜８０、１０〜７０、１５〜６５、２０〜６０、２５〜５５、３０〜５０、３５〜４５、又は４０〜４５重量部の量で存在する。他の実施形態において、アミノ基を有するポリオルガノシロキサンは、第２のエマルションの第２の分散相中に、第２のエマルション１００重量部当たり、１０〜９０、１０〜８０、１０〜７０、１５〜６５、２０〜６０、２５〜５５、３０〜５０、３５〜４５、又は４０〜４５重量部の量で存在する。上記値の間の全ての値及び値の範囲が、種々の非限定的実施形態において明示的に想到される。
【００８６】
更に別の実施形態において、無水マレイン酸及び／又は無水イタコン酸は、第２のエマルションの第２の分散相中に、第２のエマルション１００重量部当たり、１０〜９０、１０〜８０、１０〜７０、１５〜６５、２０〜６０、２５〜５５、３０〜５０、３５〜４５、又は４０〜４５重量部の量で存在する。加えて、生成（例えば、第２のエマルションの第２の分散相中でのその場での生成）後、アミノシロキサンポリマーは、第２のエマルション中に、第２のエマルション１００重量部当たり１０〜９０、１０〜８０、又は２０〜７０重量部の量で存在してもよい。第２のエマルション中のアミノシロキサンポリマーの量は、上記のとおりであってもよい。上記値の間の全ての値及び値の範囲が、種々の非限定的実施形態において明示的に想到される。
【００８７】
更に別の実施形態において、無水マレイン酸及び／又は無水イタコン酸を提供する工程は、ポリオルガノシロキサンのアミノ基１モル当たり０．０１〜０．３３、０．０１〜０．４、０．０１〜０．５、０．０１〜０．４５、又は０．１〜０．４モルの無水マレイン酸及び／又は無水イタコン酸を提供する工程として更に定義される。
【００８８】
一実施形態において、無水マレイン酸及び／又は無水イタコン酸を提供する工程は、無水イタコン酸不在下で無水マレイン酸を提供する工程として更に定義される。別の実施形態において、無水マレイン酸及び／又は無水イタコン酸を提供する工程は、無水マレイン酸不在下で無水イタコン酸を提供する工程として更に定義される。それぞれが独自の独立したエマルション、例えば、上記の任意のエマルションから独立したエマルション中の独立した分散相に存在してもよい。
【００８９】
その他の実施形態において、方法は、無水マレイン酸、無水イタコン酸、及び／又はアミノ基を有するポリオルガノシロキサンから独立してポリジアルキルシロキサンを提供する工程を含む。あるいは、ポリジアルキルシロキサンは、無水マレイン酸、無水イタコン酸、及び／又はアミノ基を有するポリオルガノシロキサンと共に提供されてもよい。ポリジアルキルシロキサンは、本明細書に記載の任意のエマルション中で希釈剤として作用し、被膜形成能力及び／又は基材上に形成したときの被膜の物理的特性を促進又は改善し得る。更に別の実施形態において、ポリジアルキルシロキサンは、本明細書に記載の方法の任意の工程若しくはエマルションに添加されるか又は存在してもよい。
【００９０】
ポリジアルキルシロキサンは、単一のポリジアルキルシロキサンでも２種以上のポリジアルキルシロキサンの組み合わせでもよい。ポリジアルキルシロキサンは特に限定されず、種々の実施形態において、１，０００，０００ｇ／モル以下の重量平均分子量（Ｍｗ）を有する。更に他の実施形態において、ポリジアルキルシロキサンは、１００，０００〜１，０００，０００、１００，０００〜２５０，０００、１００，０００〜５００，０００、１００，０００〜７５０，０００、２５０，０００〜１，０００，０００、２５０，０００〜７５０，０００、２５０，０００〜５００，０００、５００，０００〜７５０，０００、又は７５０，０００〜１，０００，０００ｇ／モルのＭｗを有する。１，０００，０００ｇ／モル以下のＭｗを有するポリジアルキルシロキサンとアミノシロキサンポリマーとの混合物も、本開示における、例えば、エマルション又は方法に使用されてもよく、その際ポリジアルキルシロキサンンのアミノシロキサンポリマーに対する比は０．１〜１００である。上記値の全ての値及びその間の値の範囲が、種々の非限定的実施形態において明示的に想到される。
【００９１】
種々の実施態様において、ポリジアルキルシロキサンは次の一般式を有し、
［Ｒａ２ＲｂＳｉＯ１／２］［Ｒａ２ＳｉＯ２／２］ｘ［Ｒａ２ＲｂＳｉＯ１／２］
式中、Ｒａは、１〜３０個の炭素原子を有するアルキル基であり、Ｒｂは、Ｒａアルキル基又はヒドロキシ基であってもよく、下付き文字「ｘ」は重合度を表し、１０００を超える。種々の実施形態において、ポリジアルキルシロキサンは、重合度（ｘ）を有するトリメチルシロキシ末端化ポリジメチルシロキサン流体であり、すなわち、２３℃で少なくとも５０，０００ｍｍ／ｓ（又は５０，０００センチストークス、ｃＳとして略）のポリジメチルシロキサン流体粘度を提供するのに十分なものである。あるいは（ｘ）は、２３℃で少なくとも１００，０００ｍｍ／ｓのポリジメチルシロキサン流体粘度を提供するのに十分なものである。あるいは（ｘ）は、２３℃で少なくとも５００，０００ｍｍ／ｓのポリジメチルシロキサン流体粘度を提供するのに十分なものである。本明細書においてポリジアルキルシロキサンとしての使用に好適なトリメチルシロキシ末端化ポリジメチルシロキサン流体の非限定的市販製品としては、少なくとも５０，０００ｍｍ２／ｓ（５０，０００センチストークス）の粘度を有するＤｏｗ  Ｃｏｒｎｉｎｇ  ２００（登録商標）流体が挙げられる。上記値の全ての値及びその間の値の範囲が、種々の非限定的実施形態において明示的に想到される。
【００９２】
上記エマルションのいずれかが、当該技術分野において既知の任意の好適な手段、典型的には、液体連続相を不混和性の分散相と組み合わせる工程を含む手段によって生成されてもよい。液体連続相は、上記の任意のものあってもよい。エマルションを生成する工程は、上記化合物の任意の１つ以上を乳化する工程を含んでもよい。界面活性剤及び／又は増粘剤を、アミノシロキサンポリマー及び／又は粒子との組み合わせの前、同時、又は後に、液体連続相に添加してもよい。
【００９３】
種々の実施形態において、上記エマルションの１種以上が、単純な撹拌によって粗混合物、例えば、ポリマー中水型混合物を生成することによって生成される。この混合物を、続いて、乳化してもよい。乳化の間に、粗混合物がエマルションに変換され得る。乳化は、リボンミキサー、プラウミキサー、液状化パドルミキサー、シグマブレードミキサー、タンブルブレンダー、ボルテックスミキサー、フィードミキサー、垂直ミキサー、水平ミキサー、及びこれらの組み合わせのような慣用的な方法により達成することができる。
【００９４】
アミノ基を有するポリオルガノシロキサンと無水マレイン酸及び／又は無水イタコン酸とのその場での反応は、下記の反応スキームによって起こり得るが、これに限定されない：
反応スキーム１：
【００９５】
【化１６】
0006317473.tif 000018
【００９６】
式中、Ｒ、Ｒ１、Ｒ２、Ｒ５〜Ｒ２２、ａ、ｂ、ｃ、ｄ、及びｅは上記のとおりである。
反応スキーム２：
【００９７】
【化１７】
0006317473.tif 000019
【００９８】
式中、Ｒ、Ｒ１、Ｒ２、Ｒ５〜Ｒ２２、ａ、ｂ、ｃ、ｄ、及びｅは上記のとおりである。
反応スキーム３：
【００９９】
【化１８】
0006317473.tif 000020
【０１００】
式中、Ｒ、Ｒ１、Ｒ２、Ｒ５〜Ｒ２２、ａ、ｂ、ｃ、ｄ、及びｅは上記のとおりである。
【０１０１】
使用するとき、無水マレイン酸は、典型的には、アミノ基を有するポリオルガノシロキサンと、アミノ基１モル当たり０．０１〜０．５、０．０１〜０．４５、又は０．１〜０．４モルの量で反応する。更に、使用するとき、無水イタコン酸は、典型的には、アミノ基を有するポリオルガノシロキサンと、アミノ基１モル当たり０．０１〜０．５、０．０１〜０．４５、又は０．１〜０．４モルの量で反応する。更にまた、無水マレイン酸と無水イタコン酸の両方を使用する場合、使用する無水マレイン酸及び無水イタコン酸の総量は、典型的には、アミノ基１モル当たり０．０１〜０．５、０．０１〜０．４５、又は０．１〜０．４モルで使用される。しかしながら、本開示は、これらの量に限定されない。上記値の間の全ての値及び値の範囲が、種々の非限定的実施形態において明示的に想到される。
【０１０２】
種々の追加の実施形態において、本開示は、エマルションから形成されるフィルム及び／又はアミノシロキサンポリマーであるか若しくはこれを含むフィルムを提供する。その他の実施形態において、本開示は、アミノシロキサンポリマー、エマルション、又はフィルムの化粧品成分としての使用を提供する。あるいは、本開示は、アミノシロキサンポリマー、エマルション、又はフィルムの布地処理剤としての使用を提供する。あるいは、本開示は、アミノシロキサンポリマー、エマルション、又はフィルムの繊維処理剤又は組成物としての使用を提供する。更にまた、本開示は、アミノシロキサンポリマー、エマルション、又はフィルムを含む化粧品組成物を提供する。本開示は、アミノシロキサンポリマー、エマルション、又はフィルムを含むヘアケア組成物も提供する。本開示は更に、アミノシロキサンポリマー、エマルション、又はフィルムを含む布地処理組成物を提供する。本開示は更に、アミノシロキサンポリマー、エマルション、又はフィルムを含む繊維処理組成物を提供する。
【０１０３】
ここでフィルムに言及すると、フィルムは、長さ、幅及び厚さに関して任意の寸法であってもよい。典型的には、フィルムは、アミノシロキサンポリマー及び／又はエマルションを使用して形成される。例えば、アミノシロキサンポリマー及び／又はエマルションは、基材上に注がれ、その後乾燥されてフィルムを形成してもよい。基材は、プラスチック、木材、ガラス、ポリマー、金属、ヒトの皮膚、ヒトの毛髪、布地、織物等の当該技術分野における任意のものであってもよい。
【０１０４】
本開示のエマルション、フィルム、及び／又はアミノシロキサンポリマーは、多数の用途、例えば、毛髪、皮膚、粘膜又は歯のケアのようなパーソナルケア用途において有用となり得る。これらの用途の多くにおいて、エマルション、フィルム、及び／又はアミノシロキサンポリマーは滑性であり、スキンクリーム、スキンケアローション、保湿剤、アクネ又はしわ取り等の美顔用品、身体用及び顔用洗浄剤、バスオイル、香料、香水、コロン、匂い袋、日焼け止め剤、プレシェーブ及びアフターシェーブローション、剃毛用石鹸、及び剃毛用泡の特性を改善する。エマルション、フィルム、及び／又はアミノシロキサンポリマーはまた、例えば、整髪及びコンディショニング利益を提供するために、ヘアシャンプー、ヘアコンディショナー、ヘアスプレー、ムース、パーマネント、除毛、及びキューティクルコートにも使用され得る。化粧品において、エマルション、フィルム、及び／又はアミノシロキサンポリマーは、メイクアップ用化粧品、カラー化粧品、ファンデーション、頬紅、口紅、アイライナー、マスカラ、オイルリムーバー、カラー化粧品リムーバー、及びパウダー中の色素のための均染剤及び展着剤として機能してもよい。エマルション、フィルム、及び／又はアミノシロキサンポリマーはまた、ビタミン、有機日焼け止め剤、セラミド、調剤等の油溶性及び水溶性物質のための送達系として有用であり得る。スティック、ゲル、ローション、エアロゾル、及びロールオンに配合される場合、エマルション、フィルム、及び／又はアミノシロキサンポリマーは、乾燥した滑らかな取り出しを付与してもよい。エマルション、フィルム、及び／又はアミノシロキサンポリマーはまた、蒸着ポリマー、界面活性剤、洗剤、抗菌剤、フケ防止剤、起泡力増進剤、タンパク質、保湿剤、懸濁化剤、乳白剤、香料、着色剤、植物抽出物、ポリマー、及び他の従来のケア成分と混合されてもよい。一実施形態において、エマルション、フィルム、及び／又はアミノシロキサンポリマーは、化粧品組成物、布地処理組成物、ヘアケア組成物、繊維ケア組成物、及びこれらの組み合わせの群から選択される水性組成物に含有される。エマルション、フィルム、及び／又はアミノシロキサンポリマーは、パーソナルケア製品の０．０１〜約５０重量パーセントの量、またより典型的には０．１〜２５重量パーセントの量で、パーソナルケア製品中に使用されてもよい。
【０１０５】
エマルション、フィルム、及び／又はアミノシロキサンポリマーは、織物繊維トリートメント剤、皮革用潤滑剤、布地柔軟剤、離型剤、水性コーティング、特に原油パイプライン中の油抵抗低減剤、潤滑剤、セルロース材料の切断促進剤のような多くの他の用途、並びに従来からシリコーンを用いる多くの他の分野においても有用となり得る。エマルション、フィルム、及び／又はアミノシロキサンポリマーは、油抵抗の低減にも使用できる。エマルション、フィルム、及び／又はアミノシロキサンポリマーは、抗菌用途、防腐剤、防臭剤、創傷包帯、及び歯磨剤への使用、並びに有機合成反応の触媒としての使用も可能である。更に、エマルション、フィルム、及び／又はアミノシロキサンポリマーは、フィルタ及び太陽電池に使用できる。エマルションは、アミノシロキサンポリマーの粒子を容易に取り扱うことを可能にし、また粒子の品質チェックを効率的かつ正確に実施することを可能にする。エマルションまた、種々の種類の化合物を利用して、所望の物理的及び化学的特性に基づいてカスタマイズできる粒子の形成も可能にする。エマルションは、化粧品及びコーティング用途を含む様々な産業に有効に使用することもできる。
【０１０６】
本開示は、パーソナルケア製品組成物とも記述できるパーソナルケア組成物も提供する。パーソナルケア組成物は、アミノシロキサンポリマーを含む。パーソナルケア組成物は、クリーム、ゲル、粉末、ペースト、又注ぎやすい液体の形態であってもよい。一般に、かかる組成物は、室温で固体の材料が組成物中に存在しない場合、単純なプロペラミキサー、ブルックフィールド逆回転ミキサー、又は均質化ミキサーを使用して、室温で調製できる。典型的に、特別な装置又は加工条件を必要としない。製造する形態の種類に応じて調製方法は異なるだろうが、こうした方法は当技術分野において公知である。
【０１０７】
パーソナルケア組成物は、塗布される身体部分に対して機能的なものであってもよく、美容的なもの、治療的なもの、又はこれらをある程度組み合わせたものであってもよい。このような製品の通常の例として、制汗剤及び体臭防止剤、スキンケアクリーム、スキンケアローション、保湿剤、にきび又はしわ取りのような美顔トリートメント、パーソナル洗料及び洗顔料、バスオイル、香水、オーデコロン、サッシェ、日焼け止め剤、プレシェーブ及びアフターシェーブローション、剃毛用石鹸及び剃毛用泡、ヘアシャンプー、ヘアコンディショナー、染毛剤、縮毛矯正剤、ヘアスプレー、ムース、ジェル、パーマ剤、脱毛剤、並びにキューティクルコート剤、化粧品、カラー化粧品、ファンデーション、コンシーラー、頬紅、口紅、アイライナー、マスカラ、油脂除去剤、カラー化粧品除去剤、並びにパウダー、予防用及び／又は治療用であってよい薬用クリーム、ペースト又はスプレー、例えば、にきび抑制剤、口腔衛生剤、抗菌剤、治癒促進剤、及び栄養剤等が挙げられるが、これらに限定されない。一般に、パーソナルケア組成物は、液体、リンス、ローション、クリーム、ペースト、ゲル、発泡体、ムース、軟膏、スプレー、エアロゾル、石鹸、スティック、軟固形、固体ゲル、及びゲルを含むがこれらに限定されない、いずれかの従来の形態での適用を可能にするキャリアと共に製剤化してもよい。好適なキャリアは、当該技術分野において理解される。
【０１０８】
本パーソナルケア組成物は、様々なパーソナル、家庭、及びヘルスケア用途に使用され得る。特に、本開示のアミノシロキサンポリマー及び／又はパーソナルケア組成物は、米国特許第６，０５１，２１６号、同第５，９１９，４４１号、同第５，９８１，６８０号、国際公開第２００４／０６０２７１号及び国際公開第２００４／０６０１０１号に記載のように、パーソナルケア製品に使用してもよく、国際公開第２００４／０６０２７６号に記載のように、日焼け止め剤組成物に使用してもよく、国際公開第０３／１０５８０１号に記載のように皮膜形成樹脂も含有する化粧品組成物に使用してもよく、米国特許出願公開第２００３／０２３５５５３号、同第２００３／００７２７３０号及び同第２００３／０１７０１８８、欧州特許第１，２６６，６４７号、同第１，２６６，６４８号及び同第１，２６６，６５３号、国際公開第０３／１０５７８９号、国際公開第２００４／０００２４７号及び国際公開第０３／１０６６１４号に記載のように、化粧品組成物に使用してもよく、国際公開第２００４／０５４５２３号に記載のものへの添加剤として使用してもよく、米国特許出願公開第２００４／０１８００３２号に記載のように、長持ちする化粧品組成物に使用してもよく、並びに／又は国際公開第２００４／０５４５２４号に記載のように透明若しくは半透明ケア及び／若しくはメイクアップ組成物に使用してもよく、上記の全てを種々の非限定的実施形態における参照によって本明細書に組み込む。
【０１０９】
パーソナルケア組成物及び／又はアミノシロキサンポリマーは、人体、例えば皮膚若しくは毛髪に対してアプリケータ、ブラシなどを用いて塗布する、手で塗布する、注ぐ、及び／又は、場合により組成物を体面上若しくは体内に擦り込む若しくはマッサージするなどの標準的方法により使用してよい。例えば、洗浄、拭い取り、及びピーリングなどのカラー化粧品の除去方法も周知の標準的方法である。皮膚に使用する場合は、パーソナルケア組成物及び／又はアミノシロキサンポリマーを、従来の方法、例えば皮膚のコンディショニング用に使用してもよい。有効量のパーソナルケア組成物及び／又はアミノシロキサンポリマーを皮膚に塗布してもよい。かかる有効量は一般に１ｍｇ／ｃｍ２〜３ｍｇ／ｃｍ２である。皮膚への塗布は、典型的には、パーソナルケア組成物及び／又はアミノシロキサンポリマーを皮膚内に作用させることを含む。この皮膚への塗布方法は、典型的には、有効量のパーソナルケア組成物及び／又はアミノシロキサンポリマーを皮膚に接触させ、次いで、パーソナルケア組成物及び／又はアミノシロキサンポリマーを皮膚に擦り込む工程を含む。これらの工程は、所望の効果を達成するために必要に応じて多数回繰り返すことができる。
【０１１０】
パーソナルケア組成物及び／又はアミノシロキサンポリマーの毛髪への使用は、毛髪コンディショニングの従来方法を使用してもよい。毛髪のコンディショニングのための有効量のパーソナルケア組成物及び／又はアミノシロキサンポリマーを毛髪に塗布する。かかる有効量は、一般的に約１ｇ〜約５０ｇ、典型的には約１ｇ〜約２０ｇである。毛髪への塗布は、典型的には、髪の殆ど又は全てがパーソナルケア組成物及び／又はアミノシロキサンポリマーと接触するよう、パーソナルケア組成物及び／又はアミノシロキサンポリマーを毛髪全体に作用させる工程を含む。この毛髪コンディショニングの方法は、典型的には、有効量のパーソナルケア組成物及び／又はアミノシロキサンポリマーを毛髪に接触させ、次いで、パーソナルケア組成物及び／又はアミノシロキサンポリマーを毛髪全体に作用させる工程を含む。これらの工程は、所望のコンディショニング効果を達成するために所望に応じて何度でも繰り返すことができる。
【０１１１】
上記のパーソナルケア組成物、化粧品組成物、布地処理組成物、ヘアケア組成物、エマルション、フィルム、及び／若しくはアミノシロキサンポリマー、又は任意の他の組成物に配合してもよい添加剤の非限定例としては、限定するものではないが、追加のシリコーン、抗酸化剤、クレンジング剤、着色剤、追加のコンディショニング剤、付着剤、電解質、皮膚軟化剤及び油、剥離剤、発泡促進剤、芳香剤、保湿剤、閉塞剤、殺シラミ剤、ｐＨ調整剤、色素、防腐剤、殺生物剤、他の溶媒、安定剤、日焼け止め剤、懸濁化剤、なめし剤、他の表面活性剤、増粘剤、ビタミン、植物成分、ワックス、レオロジー変性剤、抗フケ剤、抗ニキビ剤、抗齲蝕剤及び創傷治癒促進剤が挙げられる。
【０１１２】
上記のパーソナルケア組成物、例えば、シャンプー若しくはクレンザー、エマルション、フィルム、アミノシロキサンポリマー、及び／又は任意の他の組成物は、少なくとも１種のアニオン性洗浄界面活性剤を含んでもよい。これは、典型的にはシャンプー製剤で使用される、周知のアニオン性洗浄界面活性剤のいずれかであってもよい。これらのアニオン性洗浄界面活性剤は、シャンプー組成物中で洗浄剤及び発泡剤として機能し得る。アニオン性洗浄界面活性剤の例としては、アルカリ金属スルホリシノール酸塩；ココナッツ油酸のスルホン化モノグリセリド等の脂肪酸のスルホン化グリセリルエステル；オレイルイセチアン酸ナトリウム等のスルホン化された一価アルコールエステルの塩；オレイルメチルタウリドのナトリウム塩等のアミノスルホン酸のアミド類；パルミトニトリルスルホン酸塩等の脂肪酸ニトリルのスルホン化生成物；α−ナフタレンモノスルホン酸ナトリウム等のスルホン化芳香族炭化水素；ナフタレンスルホン酸とホルムアルデヒドとの縮合生成物；オクタヒドロアントラセンスルホン酸ナトリウム；ラウリル硫酸ナトリウム、ラウリル硫酸アンモニウム又はラウリル硫酸トリエタノールアミン等のアルカリ金属アルキル硫酸塩；ラウリルエーテル硫酸ナトリウム、ラウリルエーテル硫酸アンモニウム、アルキルアリールエーテル硫酸ナトリウム及びアルキルアリールエーテル硫酸アンモニウム等の８個以上の炭素原子のアルキル基を有するエーテル硫酸塩；８個以上の炭素原子のアルキル基を１つ以上有するアルキルアリールスルホン酸塩；ヘキシルベンゼンスルホン酸ナトリウム塩、オクチルベンゼンスルホン酸ナトリウム塩、デシルベンゼンスルホン酸ナトリウム塩、ドデシルベンゼンスルホン酸ナトリウム塩、セチルベンゼンスルホン酸ナトリウム塩及びミリスチルベンゼンスルホン酸ナトリウム塩により例示されるアルキルベンゼンスルホン酸アルカリ金属塩、ＣＨ３（ＣＨ２）６ＣＨ２Ｏ（Ｃ２Ｈ４Ｏ）２ＳＯ３Ｈ、ＣＨ３（ＣＨ２）７ＣＨ２Ｏ（Ｃ２Ｈ４Ｏ）３．５ＳＯ３Ｈ、ＣＨ３（ＣＨ２）８ＣＨ２Ｏ（Ｃ２Ｈ４Ｏ）８ＳＯ３Ｈ、ＣＨ３（ＣＨ２）１９ＣＨ２Ｏ（Ｃ２Ｈ４Ｏ）４ＳＯ３Ｈ、及びＣＨ３（ＣＨ２）１０ＣＨ２Ｏ（Ｃ２Ｈ４Ｏ）６ＳＯ３Ｈ等のポリオキシエチレンアルキルエーテルの硫酸エステル類；アルキルナフチルスルホン酸のナトリウム塩、カリウム塩及びアミン塩が挙げられる。典型的には、洗浄界面活性剤は、ラウリル硫酸ナトリウム、ラウリル硫酸アンモニウム、ラウリル硫酸トリエタノールアミン、ナトリウムラウリルエーテルサルフェート、及びアンモニウムラウリルエーテルサルフェートの群から選択される。アニオン性洗浄界面活性剤は、シャンプー組成物の総重量に基づき、５〜５０重量％、典型的には５〜２５重量％の量でシャンプー組成物中に存在し得る。
【０１１３】
上記のパーソナルケア組成物、エマルション、フィルム、アミノシロキサンポリマー、及び／又は任意の他の組成物は、少なくとも１つのカチオン性付着助剤、典型的には、カチオン性付着ポリマーを含んでもよい。カチオン性付着助剤は、典型的には０．００１〜５重量％、好ましくは約０．０１〜１重量％、より好ましくは約０．０２重量％〜約０．５重量％のレベルで存在する。カチオン性付着ポリマーは、ホモポリマーであっても、２つ以上の種類のモノマーから生成されてもよい。カチオン性付着ポリマーの分子量は、典型的には、５，０００〜１０，０００，０００、典型的には少なくとも１０，０００であり、典型的には１００，０００〜２，０００，０００である。カチオン性付着ポリマーは、典型的には、第四級アンモニウム若しくはプロトン化アミノ基、又はこれらの組み合わせ等のカチオン性窒素含有基を有する。カチオン電荷密度は、少なくとも０．１ｍｅｑ／ｇ、典型的には０．８超、又はそれより高い必要があることが分かっている。カチオン電荷密度は、４ｍｅｑ／ｇを超えるべきではなく、典型的には３未満、より典型的には２ｍｅｑ／ｇ未満である。電荷密度は、ケルダール法を使用して測定でき、概して３〜９、典型的には４〜８である所望の使用ｐＨにおいて上限内であるべきである。上記の任意及び全ての値又はその間の値の範囲も使用してもよいことが想到される。カチオン性窒素含有基は、典型的には、カチオン性付着ポリマーの全モノマー単位の画分上に置換基として存在する。したがって、カチオン性付着ポリマーがホモポリマーではない場合、それは、スペーサ非カチオン性モノマー単位を含有することができる。かかるカチオン性付着ポリマーは、ＣＴＦＡ  Ｃｏｓｍｅｔｉｃ  Ｉｎｇｒｅｄｉｅｎｔ  Ｄｉｒｅｃｔｏｒｙ，３ｒｄ  ｅｄｉｔｉｏｎに記載されており、これを参照により１つ以上の非限定的実施形態に明示的に組み込む。好適なカチオン性付着助剤としては、例えば、水溶性スペーサモノマーと、カチオン性アミン又は第四級アンモニウム官能性を有するビニルモノマーのコポリマー、例えば、（メタ）アクリルアミド、アルキル及びジアルキル（メタ）アクリルアミド、アルキル（メタ）アクリレート、ビニルカプロラクトン、並びにビニルピロリジンが挙げられる。アルキル及びジアルキル置換モノマーは、典型的にはＣ１〜Ｃ７アルキル基、より典型的には、Ｃ１〜Ｃ３アルキル基を有する。他の好適なスペーサとしては、ビニルエステル、ビニルアルコール、無水マレイン酸、プロピレングリコール、及びエチレングリコールが挙げられる。カチオン性アミンは、組成物の特定の種及びｐＨに応じて、第一級、第二級、又は第三級アミンであり得る。一般的には第二級及び第三級アミン、特に第三級が典型的である。アミン置換ビニルモノマー及びアミンは、アミン形態で重合され、次いで、四級化によってアンモニウムに変換され得る。好適なカチオン性アミノ及び第四級アンモニウムモノマーとしては、例えば、ジアルキルアミノアルキルアクリレート、ジアルキルアミノアルキルメタクリレート、モノアルキルアミノアルキルアクリレート、モノアルキルアミノアルキルメタクリレート、トリアルキルメタクリルオキシアルキルアンモニウム塩、���リアルキルアクリルオキシアルキルアンモニウム塩、ジアリル四級アンモニウム塩で置換されるビニル化合物、並びにピリジニウム、イミダゾリウム、及び四級化ピロリジン等の環状カチオン性窒素含有環を有するビニル四級アンモニウムモノマー、例えば、アルキルビニルイミダゾリウム、及び四級化ピロリジン、例えば、アルキルビニルイミダゾリウム、アルキルビニルピリジニウム、アルキルビニルピロリジン塩が挙げられる。これらのモノマーのアルキル部分は、典型的にはＣ１〜Ｃ７アルキルのような低級アルキル、より典型的にはＣ１及びＣ２アルキルである。本明細書で使用するのに好適なアミン置換ビニルモノマーとしては、ジアルキルアミノアルキルアクリレート、ジアルキルアミノアルキルメタクリレート、ジアルキルアミノアルキルアクリルアミド、及びジアルキルアミノアルキルメタクリルアミドが挙げられ、ここでアルキル基は、典型的にはＣ１〜Ｃ７ヒドロカルビルであり、より典型的にはＣ１〜Ｃ３アルキルである。カチオン性付着助剤は、アミン及び／若しくは第四級アンモニウム置換モノマー並びに／又は相溶性スペーサモノマー由来のモノマー単位の組み合わせを含むことができる。好適なカチオン性付着助剤としては、例えば、１−ビニル−２−ピロリジンと１−ビニル−３−メチルイミダゾリウム塩（例えば、塩化物）とのコポリマー（当業界においてＣｏｓｍｅｔｉｃ，Ｔｏｉｌｅｔｒｙ，ａｎｄ  Ｆｒａｇｒａｎｃｅ  Ａｓｓｏｃｉａｔｉｏｎ「ＣＴＦＡ」によってポリクアテルニウム−１６と称される）、例えば、ＢＡＳＦ  Ｗｙａｎｄｏｔｔｅ  Ｃｏｒｐ．（Ｐａｒｓｉｐｐａｎｙ，ＮＪ，ＵＳＡ）から商標名ＬＵＶＩＱＵＡＴで市販されているもの（例えば、ＬＵＶＩＱＵＡＴ  ＦＣ  ３７０）；１−ビニル−２−ピロリジンとジメチルアミノエチルメタクリレートとのコポリマー（当業界においてＣＴＦＡによってポリクアテルニウム−１１と称される）、例えば、Ｇａｒ  Ｃｏｒｐｏｒａｔｉｏｎ（Ｗａｙｎｅ，ＮＪ，ＵＳＡ）から商標名ＧＡＦＱＵＡＴで市販されているもの（例えば、ＧＡＦＱＵＡＴ  ７５５Ｎ）；カチオン性ジアリル四級アンモニウム含有ポリマー、例えば、それぞれ当業界（ＣＴＦＡ）においてポリクアテルニウム６及びポリクアテルニウム７と称される、ジメチルジアリルアンモニウムクロリドホモポリマー、及びアクリルアミドとジメチルジアリルアンモニウムクロリドとのコポリマー；米国特許第４，００９，２５６号に記載のような、３〜５個の炭素原子を有する不飽和カルボン酸のホモ及びコポリマーのアミノアルキルエステルの鉱酸塩；並びに英国出願第９４０３１５６．４号（国際公開第９５／２２３１１号）に記載のような、カチオン性ポリアクリルアミドが挙げられ、これらのそれぞれは１つ以上の非限定的実施形態において本明細書に明示的に組み込まれる。使用され得る他のカチオン性付着助剤としては、カチオン性セルロース誘導体及びカチオン性デンプン誘導体等の多糖類ポリマーが挙げられる。本開示の組成物での使用に好適なカチオン性多糖類ポリマー材料としては、式：Ａ−Ｏ（Ｒ−Ｎ＋Ｒ１Ｒ２Ｒ３Ｘ−）のものが挙げられ、式中、Ａは、デンプン又はセルロース無水グルコース残基等の無水グルコース残基であり、Ｒは、アルキレンオキシアルキレン、ポリオキシアルキレン、若しくはヒドロキシアルキレン基、又はそれらの組み合わせであり、Ｒ１、Ｒ２、及びＲ３は独立して、アルキル、アリール、アルキルアリール、アリールアルキル、アルコキシアルキル、又はアルコキシアリール基であり、各基は、最大で約１８個の炭素原子を含有し、各カチオン部分に対する炭素原子の総数（つまり、Ｒ１、Ｒ２、及びＲ３中の炭素原子の合計）は典型的には約２０個以下であり、Ｘは、アニオン性対イオンである。カチオン性セルロースは、Ａｍｅｒｃｈｏｌ  Ｃｏｒｐ．（Ｅｄｉｓｏｎ，Ｎ．Ｊ．，ＵＳＡ）からポリマーｉＲ（商標）及びＬＲ（商標）シリーズのポリマーにおいて、当業界（ＣＴＦＡ）においてポリクアテルニウム１０と称される、トリメチルアンモニウム置換エポキシドと反応させられたヒドロキシエチルセルロースの塩として市販されている。別の種類のカチオン性セルロースとしては、当業界（ＣＴＦＡ）においてポリクアテルニウム２４と称される、ラウリルジメチルアンモニウム置換エポキシドと反応させられたヒドロキシエチルセルロースの高分子四級アンモニウム塩が挙げられる。これらの材料は、Ｐｏｌｙｍｅｒ  ＬＭ−２００の商標名でＡｍｅｒｃｈｏｌ  Ｃｏｒｐ．（Ｅｄｉｓｏｎ，Ｎ．Ｊ．，ＵＳＡ）から市販されている。使用され得る他のカチオン性付着助剤としては、グアーヒドロキシプロピル塩化トリモニウム等のカチオン性グアーガム誘導体が挙げられる（Ｃｅｌａｎｅｓｅ  Ｃｏｒｐ．からＪａｇｕａｒ商標シリーズにおいて市販されている）。他の材料としては、第四級窒素含有セルロースエーテル（例えば、米国特許第３，９６２，４１８号に記載のとおり）、及びエーテル化セルロースとデンプンとのコポリマー（例えば、米国特許第３，９５８，５８１号に記載のとおり）が挙げられ、このそれぞれを、１つ以上の非限定的実施形態における参照により本明細書に明示的に組み込む。
【０１１４】
上記のパーソナルケア組成物、エマルション、フィルム、アミノシロキサンポリマー、及び／又は任意の他の組成物は、発泡促進剤を含有してもよい。発泡促進剤は、泡の崩壊を遅延する泡安定剤とは対照的に、界面活性剤の一定のモル濃度で、系から利用可能な泡の量を増加させる薬剤である。泡の発生は、発泡促進有効量の発泡促進剤を水性媒体に添加することによってもたらされる。発泡促進剤は、典型的には脂肪酸アルカノールアミド及びアミンオキシドから選択される。脂肪酸アルカノールアミドは、イソステアリン酸ジエタノールアミド、ラウリン酸ジエタノールアミド、カプリン酸ジエタノールアミド、ココナッツ脂肪酸ジエタノールアミド、リノール酸ジエタノールアミド、ミリスチン酸ジエタノールアミド、オレイン酸ジエタノールアミド、ステアリン酸ジエタノールアミド、ココナッツ脂肪酸モノエタノールアミド、オレイン酸モノイソプロパノールアミド、及びラウリン酸モノイソプロパノールアミドによって例示される。アミンオキシドは、Ｎ−ココジメチルアミンオキシド、Ｎ−ラウリルジメチルアミンオキシド、Ｎ−ミリスチルジメチルアミンオキシド、Ｎ−ステアリルジメチルアミンオキシド、Ｎ−コカミドプロピルジメチルアミンオキシド、Ｎ−タローアミドプロピルジメチルアミンオキシド、ビス（２−ヒドロキシエチル）Ｃ１２〜１５アルコキシプロピルアミンオキシドによって例示される。典型的には、発泡促進剤は、ラウリン酸ジエタノールアミド、Ｎ−ラウリルジメチルアミンオキシド、ココナッツ酸ジエタノールアミド、ミリスチン酸ジエタノールアミド、及びオレイン酸ジエタノールアミドから選択される。発泡促進剤は、典型的には、組成物の総重量に基づき、１〜１５重量％、より典型的には２〜１０重量％の量でシャンプー組成物中に存在する。組成物は更に、起泡性能を改善するために、ポリアルキレングリコールを含んでもよい。シャンプー組成物中のポリアルキレングリコールの濃度は、シャンプー組成物の０．０１重量％〜５重量％、典型的には０．０５重量％〜３重量％、より典型的には０．１重量％〜２重量％であってもよい。任意選択のポリアルキレングリコールは、一般式：Ｈ（ＯＣＨ２ＣＨＲ）ｎ−ＯＨによって特徴づけられ、式中、Ｒは、Ｈ、メチル、及びこれらの組み合わせから選択される。ＲがＨであるとき、これらの材料は、エチレンオキシドのポリマーであり、それらはまた、ポリエチレンオキシド、ポリオキシエチレン、及びポリエチレングリコールとしても既知である。Ｒがメチルであるとき、これらの材料は、プロピレンオキシドのポリマーであり、それらはまた、ポリプロピレンオキシド、ポリオキシプロピレン、及びポリプロピレングリコールとしても既知である。Ｒがメチルであるとき、得られるポリマーの種々の位置異性体も存在し得ることも理解される。上記の構造において、ｎは、１５００〜２５，０００、典型的には２５００〜２０，０００、より典型的には３５００〜１５，０００の平均値を有する。本明細書で有用なポリエチレングリコールポリマーは、ＲがＨに等しく、ｎが２，０００の平均値を有するＰＥＧ−２Ｍ（ＰＥＧ−２Ｍは、Ｕｎｉｏｎ  Ｃａｒｂｉｄｅから入手可能なＰｏｌｙｏｘ  ＷＳＲ９  Ｎ−１０として、及びＰＥＧ−２，０００としても知られる）；ＲがＨに等しく、ｎが５，０００の平均値を有するＰＥＧ−５Ｍ（ＰＥＧ−５Ｍは、いずれもＵｎｉｏｎ  Ｃａｒｂｉｄｅから入手可能なＰｏｌｙｏｘ  ＷＳＲＯ  Ｎ−３５及びＰｏｌｙｏｘ  ＷＳＲＳ  Ｎ−８０として、並びにＰＥＧ−５，０００及びＰｏｌｙｅｔｈｙｌｅｎｅ  Ｇｌｙｃｏｌ  ３００，０００としても知られる）；ＲがＨに等しく、ｎが７，０００の平均値を有するＰＥＧ−７Ｍ（ＰＥＧ−７Ｍは、Ｕｎｉｏｎ  Ｃａｒｂｉｄｅから入手可能なＰｏｌｙｏｘ  ＷＳＲＯ  Ｎ−７５０としても知られる）；ＲがＨに等しく、ｎが９，０００の平均値を有するＰＥＧ−９Ｍ（ＰＥＧ  ９−Ｍは、Ｕｎｉｏｎ  Ｃａｒｂｉｄｅから入手可能なＰｏｌｙｏｘ  ＷＳＲＳ  Ｎ−３３３３としても知られる）；並びにＲがＨに等しく、ｎが１４，０００の平均値を有するＰＥＧ−１４Ｍ（ＰＥＧ−１４Ｍは、Ｕｎｉｏｎ  Ｃａｒｂｉｄｅから入手可能なＰｏｌｙｏｘ  ＷＳＲＯ  Ｎ−３０００としても知られる）である。他の有用なポリマーとしては、ポリプロピレングリコール及び混合ポリエチレン／ポリプロピレングリコールが挙げられる。
【０１１５】
上記のパーソナルケア組成物、エマルション、フィルム、アミノシロキサンポリマー、及び／又は任意の他の組成物は、シリコーンコンディショニング剤、又は他の非水溶性材料をパーソナルケア組成物中に分散した形態で懸濁するのに有効な濃度で、懸濁化剤を含有する。かかる濃度は、パーソナルケア組成物の０．１重量％〜１０重量％、典型的には０．３重量％〜５．０重量％であってもよい。懸濁化剤としては、アシル誘導体、長鎖アミンオキシド、及びこれらの組み合わせとして分類できる結晶性懸濁化剤が挙げられ、その濃度は、シャンプー組成物の０．１重量％〜５．０重量％、典型的には０．５重量％〜３．０重量％であり得る。これらの懸濁化剤は、米国特許第４．７４１，８５５号に記載されており、これは１つ以上の非限定的実施形態における参照により本明細書に明示的に組み込まれる。これらの典型的な懸濁化剤としては、典型的には１６〜２２個の炭素原子を有する脂肪酸のエチレングリコールエステルが挙げられる。より典型的なものは、エチレングリコールステアレート（モノステアレート及びジステアレートの両方）であるが、特に７％未満のモノステアレートを含有するジステアレートである。他の好適な懸濁化剤としては、典型的には１６〜２２個の炭素原子、より典型的には１６〜１８個の炭素原子を有する脂肪酸のアルカノールアミドが挙げられ、その典型的な例としては、ステアリン酸モノエタノールアミド、ステアリン酸ジエタノールアミド、ステアリン酸モノイソプロパノールアミド、及びステアリン酸モノエタノールアミドステアレートが挙げられる。他の長鎖アシル誘導体としては、長鎖脂肪酸の長鎖エステル（例えば、ステアリン酸ステアリル、パルミチン酸セチル等）；グリセリルエステル（例えば、グリセリルジステアレート）及び長鎖アルカノールアミドの長鎖エステル（例えば、ステアルアミドジエタノールアミドジステアレート、ステアルアミドモノエタノールアミドステアレート）が挙げられる。上に列挙した典型的な材料に加えて、長鎖アシル誘導体、長鎖カルボン酸のエチレングリコールエステル、長鎖アミンオキシド、及び長鎖カルボン酸のアルカノールアミドが、懸濁化剤として使用されてもよい。例えば、Ｃ８〜Ｃ２２鎖を有する長鎖ヒドロカルビルを有する懸濁化剤が使用されてもよいことが想到される。懸濁化剤としての使用に好適な他の長鎖アシル誘導体としては、Ｎ，Ｎ−ジヒドロカルビルアミド安息香酸及びその可溶性塩（例えば、Ｎａ、Ｋ）、特に、このファミリーのＮ，Ｎ−ジ（水素添加）Ｃ１６、Ｃ１８及びタローアミド安息香酸種が挙げられ、それらは、Ｓｔｅｐａｎ  Ｃｏｍｐａｎｙ（Ｎｏｒｔｈｆｉｅｌｄ，Ｉｌｌ．，ＵＳＡ）から市販されている。懸濁化剤としての使用に好適な長鎖アミンオキシドの例としては、アルキル（Ｃ１６〜Ｃ２２）ジメチルアミンオキシド、例えば、ステアリルジメチルアミンオキシドが挙げられる。他の好適な懸濁化剤としては、シャンプー組成物の０．３重量％〜３重量％、典型的には０．４重量％〜１．２重量％の範囲の濃度のキサンタンガムが挙げられる。懸濁化剤としてのキサンタンガムの使用は、例えば、米国特許第４，７８８，００６号に記載されており、これは１つ以上の非限���的実施形態における参照により本明細書に明示的に組み込まれる。長鎖アシル誘導体及びキサンタンガムの組み合わせもまた、シャンプー組成物中の懸濁化剤として使用され得る。かかる組み合わせは、米国特許第４，７０４，２７２号に記載されており、これは１つ以上の非限定的実施形態における参照により本明細書に明示的に組み込まれる。他の好適な懸濁化剤としては、カルボキシビニルポリマーが挙げられる。これらのポリマーのうち典型的なものは、米国特許第２，７９８，０５３号に記載のポリアリルスクロースと架橋したアクリル酸のコポリマーであり、これは１つ以上の非限定的実施形態における参照により本明細書に明示的に組み込まれる。これらのポリマーの例としては、Ｂ．Ｆ．Ｇｏｏｄｒｉｃｈ  Ｃｏｍｐａｎｙから入手可能なカーボポール９３４、９４０、９４１、及び９５６が挙げられる。他の好適な懸濁化剤としては、少なくとも１６個の炭素原子を有する脂肪アルキル部分を有する第一級アミンが挙げられるが、その例としては、パルミタミン又はステアラミンが挙げられ、並びにそれぞれ少なくとも１２個の炭素原子を有する２つの脂肪アルキル部分を有する第二級アミンが挙げられ、その例としては、ジパルミトイルアミン又はジ（水素添加タロー）アミンが挙げられる。更に他の好適な懸濁化剤としては、ジ（水素添加タロー）フタル酸アミド、及び架橋無水マレイン酸−メチルビニルエーテルコポリマーが挙げられる。組成物にゲル状粘性を付与することができるもの、例えば、水溶性又はコロイド状水溶性ポリマー、例えば、セルロースエーテル（例えば、メチルセルロース、ヒドロキシブチルメチルセルロース、ヒドロキシプロピルセルロース、ヒドロキシプロピルメチルセルロース、ヒドロキシエチルエチルセルロース、及びヒドロキシエチルセルロース）、グアーガム、ポリビニルアルコール、ポリビニルピロリドン、ヒドロキシプロピルグアーガム、デンプン及びデンプン誘導体、並びに他の増粘剤、粘度調整剤、及びゲル化剤等を含む、他の好適な懸濁化剤がシャンプー組成物中で使用され得る。
【０１１６】
上記のパーソナルケア組成物、エマルション、フィルム、アミノシロキサンポリマー、及び／又は任意の他の組成物は、１種以上の水溶性皮膚軟化剤を含有してもよく、その例としては、限定するものではないが、プロピレングリコール及びブチレングリコール等の低分子量脂肪族ジオール；グリセリン及びソルビトール等のポリオール；並びにポリエチレングリコール２００等のポリオキシエチレンポリマーが挙げられる。採用される水溶性皮膚軟化剤（複数を含む）の特定の種類及び量は、組成物の所望の美的特性に応じて変化し、当業者によって容易に決定される。
【０１１７】
上記のパーソナルケア組成物、エマルション、フィルム、アミノシロキサンポリマー、及び／又は任意の他の組成物は、上記のキャリア流体とは無関係な１種以上の油を含有してもよい。本明細書で使用される用語「油」は、実質的に水不溶性である任意の材料を表す。好適な油としては、限定するものではないが、ココナッツ油等の天然油、鉱油及び水素添加ポリイソブテン等の炭化水素、オクチルドデカノール等の脂肪族アルコール、Ｃ１２〜１５アルキルベンゾエート等のエステル、プロピレンジペラルゴネート等のジエステル並びにグリセリルトリオクタノエート等のトリエステル、並びにシリコーン、特にシクロメチコン及びジメチコーン並びにこれらの組み合わせが挙げられる。好適な低粘度油は、２５℃で５〜１００ｍＰａ．ｓの粘度を有し、一般的に構造ＲＣＯ−ＯＲ’を有するエステルであり、式中、ＲＣＯは、カルボン酸ラジカルを表し、ＯＲ’は、アルコール残基である。これらの低粘度油の例としては、イソトリデシルイソノナノエート、ＰＥＧ−４ジヘプタノエート、イソステアリルネオペンタノエート、トリデシルネオペンタノエート、セチルオクタノエート、セチルパルミテート、セチルリシノレエート、セチルステアレート、セチルミリステート、ココ−ジカプリレート／カプレート、デシルイソステアレート、イソデシルオレエート、イソデシルネオペンタノエート、イソヘキシルネオペンタノエート、オクチルパルミテート、ジオクチルマレート、トリデシルオクタノエート、ミリスチルミリステート、オクトドデカノール、又はオクチルドデカノールの組み合わせ、アセチル化ラノリンアルコール、セチルアセテート、イソドデカノール、ポリグリセリル−３−ジイソステアレート、又はこれらの組み合わせが挙げられる。高粘度表面油は、一般的に、２５℃で２００〜１，０００，０００ｍＰａ．ｓの粘度、典型的には１００，０００〜２５０，０００ｍＰａ．ｓの粘度を有する。表面油としては、ヒマシ油、ラノリン及びラノリン誘導体、トリイソセチルシトレート、ソルビタンセスキオレエート、Ｃ１０〜１８トリグリセリド、カプリル酸／カプリン酸／トリグリセリド、ココナツ油、コーン油、綿実油、グリセリルトリアセチルヒドロキシステアレート、グリセリルトリアセチルリシノレエート、グリセリルトリオクタノエート、水素添加ヒマシ油、亜麻仁油、ミンク油、オリーブ油、パーム油、イリッペ脂、菜種油、大豆油、ヒマワリ種子油、タロー、トリカプリン、トリヒドロキシステアリン、トリイソステアリン、トリラウリン、トリリノレイン、トリミリスチン、トリオレイン、トリパルミチン、トリステアリン、クルミ油、コムギ胚芽油、コレステロール、又はこれらの組み合わせが挙げられる。油相中の低粘度対高粘度油の推奨された比は、それぞれ１：１５〜１５：１、典型的には１：１０〜１０：１である。本開示の典型的な製剤は、低粘度表面油と高粘度表面油との組み合わせを１〜２０％含む。
【０１１８】
流動パラフィン若しくは流動石油等の鉱油、又はペルヒドロスクアレン若しくはアララ油等の動物油、又は代替的に甘扁桃油、カロフィルム油、パーム油、ヒマシ油、アボカド油、ホホバ油、オリーブ油、若しくは穀物胚芽油等の植物油が使用されてもよい。例えば、ラノリン酸、オレイン酸、ラウリン酸、ステアリン酸、若しくはミリスチン酸のエステル；オレイルアルコール、リノレイル若しくはリノレニルアルコール、イソステアリルアルコール、若しくはオクチルドデカノール等のアルコール；又はアルコール若しくはポリアルコールのアセチルグリセリド、オクタノエート、デカノエート、若しくはリシノレエートを使用することも可能である。あるいは、水素添加ヒマシ油、パーム油、若しくはココナツ油、若しくは水素添加タロー等の２５℃で固体である水素添加油；モノ、ジ、トリ、若しくはスクログリセリド；ラノリン；又は２５℃で固体である脂肪族エステルを使用することが可能である。
【０１１９】
上記のパーソナルケア組成物、エマルション、フィルム、アミノシロキサンポリマー、及び／又は任意の他の組成物は、種々の蝋を含有してもよい。蝋は、一般的に、大気圧で３５〜１２０℃の融点を有する。この分類の蝋としては、合成蝋、セレシン、パラフィン、オゾケライト、イリッペ脂、蜜蝋、カルナバ、微結晶蝋、ラノリン、ラノリン誘導体、キャンデリラ、カカオバター、セラック蝋、鯨蝋、糠蝋、カポック蝋、サトウキビ蝋、モンタン蝋、鯨蝋、ヤマモモ蝋、又はこれらの組み合わせが挙げられる。一実施形態において、パーソナルケア組成物は、１０〜３０％の蝋の組み合わせを含む。非シリコーン脂肪性物質として使用できる蝋としては、蜜蝋などの動物蝋；カルナバ、キャンデリラ、オーリクリー若しくは日本蝋、又はコルク繊維若しくはサトウキビ蝋などの植物蝋；鉱蝋、例えば、パラフィン若しくは亜炭蝋、又は微結晶蝋若しくはオゾケライト；ポリエチレン蝋、及びフィッシャー・トロプシュ合成によって得られる蝋等の合成蝋が挙げられる。シリコーン蝋のうち、ポリメチルシロキサンアルキル、アルコキシ、及び／又はエステルに関して言及され得る。
【０１２０】
上記のパーソナルケア組成物、エマルション、フィルム、アミノシロキサンポリマー、及び／又は任意の他の組成物は、粉末を含有してもよい。粉末は、概して、０．０２〜５０マイクロメートルの粒径を有する乾燥した粒子状物質として定義することができる。粉末は、着色されていても無着色でもよい（例えば、白）。好適な粉末としては、オキシ塩化ビスマス、雲母チタン、ヒュームドシリカ、球状シリカビーズ、ポリメチルメタクリレートビーズ、微粉化テフロン（登録商標）、窒化ホウ素、アクリレートポリマー、ケイ酸アルミニウム、オクテニルコハク酸デンプンアルミニウム、ベントナイト、ケイ酸カルシウム、セルロース、チョーク、コーンスターチ、珪藻土、フラー土、グリセリルデンプン、ヘクトライト、含水シリカ、カオリン、ケイ酸アルミニウムマグネシウム、炭酸マグネシウム、水酸化マグネシウム、酸化マグネシウム、ケイ酸マグネシウム、トリケイ酸マグネシウム、マルトデキストリン、モンモリロナイト、微結晶性セルロース、米デンプン、シリカ、タルク、雲母、二酸化チタン、ラウリン酸亜鉛、ミリスチン酸亜鉛、ネオデカン酸亜鉛、ロジン酸亜鉛、ステアリン酸亜鉛、ポリエチレン、アルミナ、アタパルジャイト、炭酸カルシウム、ケイ酸カルシウム、デキストラン、カオリン、ナイロン、シリル化シリカ、シルクパウダー、セリサイト、大豆粉、酸化スズ、水酸化チタン、リン酸三マグネシウム、クルミ殻粉末、又はこれらの組み合わせが挙げられる。粉末は、レシチン、アミノ酸、鉱油、シリコーン油、又は様々な他の剤を単独又は組み合わせのいずれかで用いて表面処理してもよく、これにより粉末表面を被覆し、かつ粒子を事実上疎水性にする。
【０１２１】
粉末はまた、有機及び／若しくは無機顔料であるか又はこれらを含んでもよい。有機顔料は、一般に、Ｄ＆Ｃ及びＦＤ＆Ｃブルー、ブラウン、グリーン、オレンジ、レッド、イエロー等と称されるアゾ、インジゴイド、トリフェニルメタン、アントラキノン、及びキサンチン染料等の種々の芳香族型である。無機顔料は一般的にレーキ又は酸化鉄と呼ばれる、認証着色添加物の不溶性金属塩からなる。粉状着色剤（例えば、カーボンブラック、酸化クロム又は酸化鉄、ウルトラマリン、ピロリン酸マンガン、紺青及び二酸化チタン）、有色顔料との混合物として一般に用いられる真珠光沢剤、又は有色顔料との混合物として一般に用いられ、化粧品業界で通常用いられるいくつかの有機染料を組成物に加えることができる。一般的に上記の着色剤は、上記のパーソナルケア組成物、エマルション、フィルム、アミノシロキサンポリマー、及び／又は任意の他の組成物の重量を基準にして０〜２０重量％の量で存在してよい。
【０１２２】
粉状無機又は有機充填剤も、上記のパーソナルケア組成物、エマルション、フィルム、アミノシロキサンポリマー、及び／又は任意の他の組成物の重量を基準として、一般に０〜４０重量％の量で添加することができる。これらの粉末状充填剤は、タルク、雲母、カオリン、酸化亜鉛又はチタン、炭酸カルシウム又はマグネシウム、シリカ、球状二酸化チタン、ガラス又はセラミックビーズ、８〜２２個の炭素原子を有するカルボン酸由来金属石鹸、非発泡合成ポリマー粉末、発泡粉末、穀物デンプン等の天然有機化合物由来粉末から選択でき、架橋していてもしていなくてもよい。充填剤は、典型的には、組成物の全重量の０〜３５％、より典型的には５〜１５％の割合で存在してもよい。特に、タルク、雲母、シリカ、カオリン、ナイロン粉末（特にＯＲＧＡＳＯＬ）、ポリエチレン粉末、テフロン（登録商標）、デンプン、窒化ホウ素、ＥＸＰＡＮＣＥＬ（Ｎｏｂｅｌ  Ｉｎｄｕｓｔｒｉｅ）等のコポリマーミクロスフェア、ポリトラップ及びシリコーン樹脂マイクロビーズ（例えば、ＴｏｓｈｉｂａのＴＯＳＰＥＡＲＬ）を挙げることができる。
【０１２３】
上記のパーソナルケア組成物、エマルション、フィルム、アミノシロキサンポリマー、及び／又は任意の他の組成物は、日焼け止め剤を含有してもよい。日焼け止め剤は、典型的には、２９０〜３２０ｎｍ（ＵＶ−Ｂ領域）の紫外線を吸収し、例えば、限定するものではないが、パラ−アミノ安息香酸誘導体及びオクチルメトキシシンナメート等のシンナメート、並びに３２０〜４００ｎｍの範囲（ＵＶ−Ａ領域）の紫外線を吸収するもの、例えば、ベンゾフェノン及びブチルメトキシジベンゾイルメタンである。日焼け止め剤のいくつかの追加例は、２−エトキシエチル＝ｐ−メトキシシンナメート；メンチルアントラニレート；ホモメチルサリチレート；グリセリル＝ｐ−アミノベンゾエート；イソブチル＝ｐ−アミノベンゾエート；イソアミル＝ｐ−ジメチルアミノベンゾエート；２−ヒドロキシ−４−メトキシベンゾフェノンスルホン酸；２，２’−ジヒドロキシ−４−メトキシベンゾフェノン；２−ヒドロキシ−４−メトキシベンゾフェノン；安息香酸エチルの４−モノ及び４−ビス（３−ヒドロキシ−プロピル）アミノ異性体；並びに２−エチルへキシル＝ｐ−ジメチルアミノベンゾエートである。種々の実施形態において、日焼け止め剤は、欧州特許出願公開第６７８，２９２（Ａ）号に記載のとおりであり、これは１つ以上の非限定的実施形態における参照により本明細書に明示的に組み込まれる。種々の実施形態において、日焼け止め剤は、少なくとも１つのカルボキシルラジカル又は更に良好にはスルホン酸ラジカルを含む。この酸ラジカルは、遊離形態でもよく、部分的又は完全に中和された形態でもよい。酸官能性を含有する１種以上の親水性日焼け防止剤を使用することができる。少なくとも１つのＳＯ３Ｈ基を含有する酸性日焼け防止剤の例としては、特に３−ベンジリジン−２−カンファースルホン酸誘導体を挙げることができる。特に典型的な化合物は、ベンゼン−１，４−［ジ（３−メチリデンカンファー−１０−スルホン酸）］である。この日焼け防止剤は２８０ｎｍ〜４００ｎｍの波長を有する紫外線を吸収することができ、極大吸収が３２０ｎｍ〜４００ｎｍ、特に３４５ｎｍである広域帯日焼け防止剤である。日焼け防止剤は、酸形態又はトリエタノールアミン、水酸化ナトリウム及び水酸化カリウムから選択される塩基で塩化されて用いられる。更に、日焼け防止剤は、シス又はトランス形態をとり得る。この日焼け防止剤は、Ｍｅｘｏｒｙｌ  ＳＸの商標名で知られている。他の具体例としては、４−（３−メチリデンカンファー）ベンゼンスルホン酸、３−ベンジリデンカンファー−１０−スルホン酸、２−メチル−５−（３−メチリデンカンファー）ベンゼンスルホン酸、２−クロロ−５−（３−メチリデンカンファー）ベンゼンスルホン酸、３−（４−メチル）ベンジリデンカンファー−１０−スルホン酸、（３−ｔ−ブチル−２−ヒドロキシ−５−メチル）ベンジリデンカンファー−１０−スルホン酸、（３−ｔ−ブチル−２−ヒドロキシ−５−メトキシ）ベンジリデンカンファー−１０−スルホン酸、（３，５−ジ−ｔｅｒｔ−ブチル−４−ヒドロキシ）ベンジリデンカンファー−１０−スルホン酸、２−メトキシ−５−（３−メチリデンカンファー）ベンゼンスルホン酸���３−（４，５−メチレンジオキシ）ベンジリデンカンファー−１０−スルホン酸、３−（４−メトキシ）ベンジリデンカンファー−１０−スルホン酸、３−（４，５−ジメトキシ）ベンジリデンカンファー−１０−スルホン酸、３−（４−ｎ−ブトキシ）ベンジリデンカンファー−１０−スルホン酸、３−（４−ｎ−ブトキシ−５−メトキシ）ベンジリデンカンファー−１０−スルホン酸、２−［４−（カンファーメチリデン）フェニル］ベンズイミダゾール−５−スルホン酸がある。好適な化合物は、米国特許第４，５８５，５９７号、仏国特許第２，２３６，５１５号、同第２，２８２，４２６号、同第２，６４５，１４８号、同第２，４３０，９３８号及び同第２，５９２，３８０号に記載されており、このそれぞれは、１つ以上の非限定的実施形態における参照により本明細書に明示的に組み込まれる。スルホン酸基を含有する日焼け防止剤は、ベンゾフェノンのスルホン酸誘導体又はＵＶ−Ｂ照射領域において優れた光防護力を有し、Ｍｅｒｃｋにより「Ｅｕｓｏｌｅｘ  ２３２」の商標名で販売されている２−フェニルベンゾイミダゾール−５−スルホン酸、ベンゼン−１，４−ジ（ベンゾイミダゾール−２−イル−５−スルホン酸）、ベンゼン−１，４−ジ（ベンゾオキサゾール−２−イル−５−スルホン酸）であってもよい。親水性日焼け防止剤は、本開示による最終組成物中に、パーソナルケア組成物の総重量を基準にして０．１〜２０重量％、典型的には０．２〜１０重量％であり得る含有量で存在することができる。
【０１２４】
ジベンゾイルメタンから誘導される日焼け防止剤、特に４−ｔｅｒｔ−ブチル−４’−メトキシジベンゾイルメタンのような追加の親油性日焼け防止剤を使用することができ、これは高い固有の吸収力を効果的に有する。ＵＶ−Ａ活性日焼け防止剤として周知の製品であるこれらのジベンゾイルメタン誘導体については、特に仏国特許出願第２，３２６，４０５（Ａ）号及び仏国特許出願第２，４４０，９３３（Ａ）号、並びに欧州特許出願公開第０，１１４，６０７（Ａ）号に記載されており、このそれぞれは、１つ以上の非限定的実施形態における参照により本明細書に明示的に組み込まれる。４−（ｔｅｒｔ−ブチル）−４’−メトキシジベンゾイルメタンは、現在、Ｇｉｖａｕｄａｎにより「Ｐａｒｓｏｌ  １７８９」の商標名で販売されている。本開示による典型的な別のジベンゾイルメタン誘導体は、４−イソプロピルジベンゾイルメタンであり、この日焼け防止剤はＭｅｒｃｋにより「Ｅｕｓｏｌｅｘ  ８０２０」の商標名で販売されている。同様に、ＵＶ−Ｂ領域における活性について既知の液体親油性日焼け防止剤であるオクトクリレンは市販されており、特にＢＡＳＦにより「Ｕｖｉｎｕｌ  Ｎ  ５３９」の商標名で販売されている。本開示に用いることができる別の親油性（又は脂溶性）日焼け防止剤としては、ＵＶ−Ｂ吸収剤としても知られ、特にＭｅｒｃｋにより「Ｅｕｓｏｌｅｘ  ６３００」の商標名で販売されているｐ−メチルベンジリデンカンファーも挙げることができる。親油性日焼け防止剤は、上記のパーソナルケア組成物、エマルション、フィルム、アミノシロキサンポリマー、及び／又は任意の他の組成物の総重量の０．５〜３０％、典型的には０．５〜２０％であり得る含有量で、本開示による組成物中に存在することができる。親油性又は親水性有機日焼け防止剤の他の例は、欧州特許出願第０，４８７，４０４（Ａ）号に記載されており、これは１つ以上の非限定的実施形態における参照により本明細書に明示的に組み込まれる。本開示による化粧品及び／又は皮膚組成物は、被覆又は非被覆金属酸化物の顔料又はあるいはナノ顔料（平均初期粒径：一般的に５ｎｍ〜１００ｎｍ、典型的には１０〜５０ｎｍ）も含有することができ、その例としては、酸化チタン（アモルファス又はルチル及び／若しくはアナターゼ型に結晶化）、酸化鉄、酸化亜鉛、酸化ジルコニウム又は酸化セリウムのナノ顔料が挙げられ、これらは全てそれ自体周知である光防護剤であり、ＵＶ照射を物理的にブロック（反射及び／又は散乱）することによって機能する。標準的なコーティング剤には、更に、アルミナ及び／又はステアリン酸アルミニウム、並びにシリコーンがある。こうした被覆又は非被覆酸化金属ナノ顔料については特に欧州特許出願第０，５１８，７７２（Ａ）号及び同第０，５１８，７７３（Ａ）号に記載されており、このそれぞれは１つ以上の非限定的実施形態における参照により本明細書に明示的に組み込まれる。
【０１２５】
上記の任意の組成物に増粘剤を使用して、都合のよい粘度をもたらしてもよい。例えば、２５℃で５００〜２５，０００ｍｍ２／ｓ、又は更に別の方法としては２５℃で３，０００〜７，０００ｍｍ２／ｓの粘度が得られてもよい。好適な増粘剤としては、アルギン酸ナトリウム、アラビアゴム、ポリオキシエチレン、グアーガム、ヒドロキシプロピルグアーガム、エトキシル化アルコール、例えば、ラウレス−４又はポリエチレングリコール４００、メチルセルロース、メチルヒドロキシプロピルセルロース、ヒドロキシプロピルセルロース、ポリプロピルヒドロキシエチルセルロースによって例示されるセルロース誘導体、ヒドロキシエチルアミロース及びデンプンアミロースによって例示されるデンプン及びデンプン誘導体、ローカストビーンガム、塩化ナトリウム及び塩化アンモニウムによって例示される電解質、並びにフルクトース及びグルコースなどの糖類、並びに糖類の誘導体、例えば、ＰＥＧ−１２０メチルグルコースジオレート、代替的にはこれらのうちの２つ以上の組み合わせが挙げられる。あるいは、増粘剤は、セルロース誘導体、糖誘導体、及び電解質から、又はセルロース誘導体と任意の電解質、及びデンプン誘導体と任意の電解質の組み合わせによって例示される上記増粘剤のうちの２つ以上の組み合わせから選択される。増粘剤は、使用するとき、シャンプー組成物中に存在し、２５℃で５００〜２５，０００ｍｍ２／ｓの粘度をもたらし得る。あるいは、増粘剤は、上記のパーソナルケア組成物、エマルション、フィルム、アミノシロキサンポリマー、及び／又は任意の他の組成物の総重量を基準にして０．０５〜１０重量％、あるいは０．０５〜５重量％の量で存在し得る。
【０１２６】
安定剤も、例えば、エマルションの水相に使用することができる。好適な水相安定化剤は、単独で、又は組み合わせて、１つ以上の電解質、ポリオール、エチルアルコールなどのアルコール、及び親水コロイドを含むことができる。典型的な電解質は、アルカリ金属塩及びアルカリ土類塩、特に、ナトリウム、カリウム、カルシウム、及びマグネシウムの塩化物塩、ホウ酸塩、クエン酸塩、及び硫酸塩、並びにアルミニウムクロロハイドレート、及びポリ電解質、特にヒアルロン酸及びヒアルロン酸ナトリウムである。安定剤が電解質であるか又は電解質を含む場合、その量は、上記のパーソナルケア組成物、エマルション、フィルム、アミノシロキサンポリマー、及び／又は任意の他の組成物の０．１〜５重量％、更にあるいは０．５〜３重量％である。親水コロイドは、キサンタンガム又はビーガムなどのガム、及びカルボキシメチルセルロースなどの増粘剤を含む。グリセリン、グリコール、及びソルビトールなどのポリオールもまた使用され得る。代替のポリオールは、グリセリン、プロピレングリコール、ソルビトール、及びブチレングリコールである。大量のポリールが使用される場合、電解質を添加する必要はない。しかしながら、水相を安定化させるために電解質、ポリオール、及び親水コロイドの組み合わせ、例えば、硫酸マグネシウム、ブチレングリコール、及びキサンタンガムを使用することが典型的である。
【０１２７】
上記の組成物のいずれかは、塩化アルミニウム、アルミニウムジルコニウムテトラクロロハイドレックスＧＬＹ、アルミニウムジルコニウムテトラクロロハイドレックスＰＥＧ、アルミニウムクロロハイドレックス、アルミニウムジルコニウムテトラクロロハイドレックスＰＧ、アルミニウムクロロハイドレックスＰＥＧ、アルミニウムジルコニウムトリクロロハイドレート、アルミニウムクロロハイドレックスＰＧ、アルミニウムジルコニウムトリクロロハイドレックスＧＬＹ、ヘキサクロロフェン、塩化ベンザルコニウム、アルミニウムセスキクロロハイドレート、重炭酸ナトリウム、アルミニウムセスキクロロハイドレックスＰＥＧ、クロロフィリン−銅錯体、トリクロサン、アルミニウムジルコニウムオクタクロロハイドレート、及びリシノール酸亜鉛等の制汗剤及び体臭防止剤であるか又はこれらを含んでもよい。
【０１２８】
上記のパーソナルケア組成物、エマルション、フィルム、アミノシロキサンポリマー、及び／又は任意の他の組成物はまた、二酸化炭素、窒素、亜酸化窒素等の噴射ガス、ブタン、イソブタン、又はプロパン等の揮発性炭化水素、並びにジクロロジフルオロメタン及びジクロロテトラフルオロエタン若しくはジメチルエーテル等の塩素化又はフッ素化炭化水素と組み合わせたエアロゾルであり得る。
【０１２９】
本アミノシロキサンポリマー以外のシリコーン組成物も、上記のパーソナルケア組成物、エマルション、フィルム、アミノシロキサンポリマー、及び／又は任意の他の組成物に含まれてもよい。例えば、こうしたシリコーンとしては、シリコーン流体、ガム、樹脂、エラストマー；シリコーンポリエーテルのようなシリコーン界面活性剤及び乳化剤、アミノ官能性シリコーンのような有機官能性シリコーン、並びにアルキルメチルシロキサンが挙げられる。アルキルメチルシロキサンが本組成物に含まれてもよい。これらのシロキサンポリマーは、一般に、典型的には式Ｍｅ３ＳｉＯ［Ｍｅ２ＳｉＯ］ｙ［ＭｅＲＳｉＯ］ｚＳｉＭｅ３を有し、式中、Ｒは、６〜３０個の炭素原子を含有する炭化水素基であり、Ｍｅは、メチルを表し、重合度（ＤＰ）、すなわちｙとｚの和は３〜５０である。揮発性及び液体種のアルキルメチルシロキサンの両方を、本組成物中で使用することができる。
【０１３０】
シリコーンガムも、上記のパーソナルケア組成物、エマルション、フィルム、アミノシロキサンポリマー、及び／又は任意の他の組成物に含まれてもよい。好適な非限定的ガムとしては、２５℃で１，０００，０００ｍｍ２／ｓ（センチストークス）超、あるいは２５℃で５，０００，０００ｍｍ２／ｓ（センチストークス）超の粘度を有する不溶性ポリジオルガノシロキサンが挙げられる。これらのシリコーンガムは、典型的にはその取扱いを容易にするために好適な溶媒にすでに分散された組成物として販売されている。超高粘度シリコーンもまた、任意の成分として含まれ得る。これらの超高粘度シリコーンは、典型的には２５℃で５００万ｍｍ２／ｓ（センチストークス）を超え２５℃で２０００万ｍｍ２／ｓ（センチストークス）までの運動粘度を有する。この種の組成物は、例えば、米国特許第６，０１３，６８２号に記載されており、これは１つ以上の非限定的実施形態における参照により本明細書に明示的に組み込まれる。
【０１３１】
シリコーン樹脂も、上記のパーソナルケア組成物、エマルション、フィルム、アミノシロキサンポリマー、及び／又は任意の他の組成物に含まれてもよい。これらの樹脂は、概して、高度に架橋された高分子シロキサンである。架橋は、典型的には、製造中に使用される単官能性シラン及び／又は二官能性シランモノマーと、三官能性及び／又は四官能性シランを組み込むことによって得られる。好適なシリコーン樹脂を得るために必要な架橋度は、シリコーン樹脂の製造中に組み込まれるシランモノマー単位の特性に応じて変化する。概して、十分なレベルの三官能性及び四官能性シロキサンモノマー単位を有する、したがって剛性又は硬質皮膜まで乾燥させるのに十分なレベルの架橋を有する、いずれのシリコーンも使用できる。本明細書での適用に好適な商業的に入手可能なシリコーン樹脂は、概して、低粘度の、揮発性又は不揮発性シリコーン流体中で硬化されていない形態で供給される。シリコーン樹脂は、硬化樹脂構造としてもよりもむしろ、それらの硬化されていない形態で、本開示の組成物に組み込まれてもよい。
【０１３２】
シリコーンカルビノール流体もまた、上記のパーソナルケア組成物、エマルション、フィルム、アミノシロキサンポリマー、及び／又は任意の他の組成物に含まれてもよい。これらの材料は一般的に置換ヒドロカルビル官能性シロキサン流体又は樹脂として記載することができ、いくつかは国際公開第０３／１０１４１２（Ａ２）号に記載されており、これは１つ以上の非限定的実施形態における参照により本明細書に明示的に組み込まれる。
【０１３３】
水溶性又は水分散性シリコーンポリエーテルもまた、上記のパーソナルケア組成物、エマルション、フィルム、アミノシロキサンポリマー、及び／又は任意の他の組成物に含まれてもよい。これらはまたポリアルキレンオキシドシリコーンコポリマー、シリコーンポリ（オキシアルキレン）コポリマー、シリコーングリコールコポリマー又はシリコーン界面活性剤としても既知である。これらは、直線、熊手型又はグラフト型物質、又はＡＢＡ型であることができ、Ｂはシロキサンポリマーブロックであり、Ａはポリ（オキシアルキレン）基である。このポリ（オキシアルキレン）基は、ポリエチレンオキシド、ポリプロピレンオキシド、又は、ポリエチレンオキシド／ポリプロピレンオキシド基の混合体からなることができる。ブチレンオキシド又はフェニレンオキシドなどの他のオキシドも可能である。
【０１３４】
上記のパーソナルケア組成物、エマルション、フィルム、アミノシロキサンポリマー、及び／又は任意の他の組成物のいずれかは、（ｉ）有機化合物、（ｉｉ）ケイ素原子含有化合物、（ｉｉｉ）有機化合物の混合物、（ｉｖ）ケイ素原子含有化合物の混合物、又は（ｖ）有機化合物とケイ素原子含有化合物との混合物等の、他の材料を溶解し、懸濁し、又はその物理特性を変更するために工業規模で使用される溶媒も含んでもよい。
【０１３５】
一般的に、有機化合物は、芳香族炭化水素、脂肪族炭化水素、アルコール、アルデヒド、ケトン、アミン、エステル、エーテル、グリコール、グリコールエーテル、アルキルハロゲン化物、又は芳香族ハロゲン化物である。いくつかの一般的な有機溶媒の代表例は、アルコール、例えば、メタノール、エタノール、１−プロパノール、シクロヘキサノール、ベンジルアルコール、２−オクタノール、エチレングリコール、プロピレングリコール、及びグリセロール；肪族炭化水素、例えば、ペンタン、シクロヘキサン、ヘプタン、ＶＭ＆Ｐ溶媒、及びミネラルスピリット；ハロゲン化アルキル、例えば、クロロホルム、四塩化炭素、ペルクロロエチレン、塩化エチル、及びクロロベンゼン；アミン、例えば、イソプロピルアミン、シクロヘキシルアミン、エタノールアミン、及びジエタノールアミン；ベンゼン、トルエン、エチルベンゼン、及びキシレン等の芳香族炭化水素；エステル、例えば、酢酸エチル、酢酸イソプロピル、アセト酢酸エチル、酢酸アミル、イソ酪酸イソブチル、及び酢酸ベンジル；エーテル、例えば、エチルエーテル、ｎ−ブチルエーテル、テトラヒドロフラン、及び１，４−ジオキサン；グリコールエーテル、例えば、エチレングリコールモノメチルエーテル、エチレングリコールモノメチルエーテルアセテート、ジエチレングリコールモノブチルエーテル、及びプロピレングリコールモノフェニルエーテル；ケトン、例えば、アセトン、メチルエチルケトン、シクロヘキサノン、ジアセトンアルコール、メチルアミルケトン、及びジイソブチルケトン；石油炭化水素、例えば、鉱油、ガソリン、ナフサ、灯油、軽油、重油、及び原油；潤滑油、例えば、スピンドル油及びタービン油；並びに脂肪油、例えば、トウモロコシ油、大豆油、オリーブ油、ナタネ油、綿実油、イワシ油、ニシン油及び鯨油である。
【０１３６】
「その他の」種々の有機溶剤、例えば、アセトニトリル、ニトロメタン、ジメチルホルムアミド、プロピレンオキシド、トリオクチルホスフェート、ブチロラクトン、フルフラール、松根油、テレピン油、及びｍ−クレゾールも使用できる。
【０１３７】
溶媒は、揮発性着香剤、例えば、冬緑油；ペパーミント油；スペアミント油；メントール；バニラ；シナモン油；チョウジ油；ベイ油；アニス油；ユーカリ油；タイム油；ニオイヒバ油；ナツメグ油；セージ油；カッシア油；ココア；カンゾウ；高果糖コーンシロップ；柑橘油、例えば、レモン、オレンジ、ライム、及びグレープフルーツ；フルーツエッセンス、例えば、リンゴ、洋ナシ、モモ、ブドウ、イチゴ、ラズベリー、サクランボ、プラム、パイナップル、及びアプリコット；並びにアルデヒド及びエステルを含む他の有用な着香剤、例えば、酢酸シンナミル、シンナムアルデヒド、オイゲニルホルメート、ｐ−メチルアニソール、アセトアルデヒド、ベンズアルデヒド、アニスアルデヒド、シトラール、ネラール、デカナール、バニリン、トリルアルデヒド、２，６−ジメチルオクタナール、及び２−エチルブチルアルデヒドもまた含んでもよい。
【０１３８】
更に、溶剤は揮発性の芳香剤、例えば天然産物及び香油を含んでもよい。いくつかの代表的な天然産物及び香油は、アンバーグリース、ベンゾイン、シベット、クローブ、葉油、ジャスミン、マテ、ミモザ、ムスク、ミルラ、イリス、ビャクダン油、及びベチベル油；芳香性化学物質、例えば、サリチル酸アミル、アミルシンナムアルデヒド、酢酸ベンジル、シトロネロール、クマリン、ゲラニオール、酢酸イソボルニル、アンブレット、及び酢酸テルピニル；並びに種々の古典系香油、例えば、フローラルブーケ系、オリエンタル系、シプレ系、ウッド系、シトラス系、カヌー系、レザー系、スパイス系、及びハーブ系である。
【実施例】
【０１３９】
実施例１
約４００ｄｐのアミノエチルアミノイソブチルシロキサン２０ｇと２モル％のアミンとを１００グラムのエマルションに乳化した。エマルションの生成後、このエマルション１００ｇを０．２４グラムの無水マレイン酸と組み合わせて第２のエマルションを生成し、架橋アミノシロキサンポリマーを生成した。第２のエマルションを室温で２０分間、次いで５０℃で１２時間混合した。第２のエマルションをメタノール及びヘキサンで破壊することによって、ポリマー内相を採取した。温度掃引実験の結果（図１に表示）は、貯蔵弾性率（Ｇ’）と損失弾性率（Ｇ”）とを比較して、架橋アミノシロキサンポリマーではＧ’がＧ”よりも高いことから、架橋の証拠を与える。架橋アミノシロキサンポリマーの粘度は、Ａｒｅｓ（登録商標）応力制御型レオメーターで測定したときに、約２５００ｃＰから１．７  Ｅ６  ｃＰまで増大した。
【０１４０】
実施例２
約３００ｄｐのアミノプロピルシロキサン２０ｇと２モル％のアミンとを１００グラムのエマルションに乳化した。エマルションの生成後、このエマルション１００ｇを０．１２３グラムの無水マレイン酸と組み合わせて第２のエマルションを生成し、架橋アミノシロキサンポリマーを生成した。第２のエマルションを室温で２０分、次いで５０℃で１２時間混合した。第２のエマルションをメタノール及びヘキサンで破壊することによって、ポリマー内相を採取した。温度掃引実験の結果（図２に表示）は、貯蔵弾性率（Ｇ’）と損失弾性率（Ｇ”）とを比較して、架橋アミノシロキサンポリマーではＧ’がＧ”よりも高いことから、架橋の証拠を与える。架橋アミノシロキサンポリマーの粘度は、Ａｒｅｓ（登録商標）応力制御型レオメーターで測定したときに、約１５００ｃＰから増大を開始した。
【０１４１】
実施例３：リーブインコンディショナー
単相リーブインコンディショナーを生成するため、下記の構成成分を順番に容器に添加し、１０分間混合した。
【０１４２】
【表２】
0006317473.tif 000021
【０１４３】
実施例４：リーブインコンディショナー
この実施例を生成するため、成分１を７０℃に加熱する。続いて、成分２を成分１中に分散し、均質になるまで混合する。次いで、穏やかに混合しながら成分３を添加する。
【０１４４】
別の容器に、相Ｂ成分を組み合わせ、混合する。次いで、相Ｂ成分を、水浴を用いて７０℃に加熱する。続いて、相Ｂ成分を、全ての成分が完全に溶解するまで混合する。次いで、蝋が溶融し続けるように相Ｂ成分を十分に保温しながら、相Ａを徐々に相Ｂに添加し、撹拌する。次いで、この混合物を、均質になるまで撹拌する。その後、この混合物を穏やかに混合しながら、室温まで冷却する。次いで、相Ｃ成分を下記の順序で混合する。その後、混合物全体のｐＨをクエン酸溶液で約４に調節する。
【０１４５】
【表３】
0006317473.tif 000022
【０１４６】
実施例５：リーブインコンディショナー
この実施例を生成するため、相Ａ成分を均質になるまで混合する。次いで、相Ｂ成分を均質になるまで混合する。次いで、相Ｂを相Ａに添加し、この組み合わせを更に１０分間混合する。
【０１４７】
【表４】
0006317473.tif 000023
【０１４８】
実施例６：リンスオフコンディショナー
この実施例を生成するため、脱イオン水を混合容器に添加し、７５℃に加熱する。中程度の撹拌で、ヒドロキシエチルセルロースを完全に溶解するまで分散する。加熱を６０℃まで下げ、セテアリルアルコール及びＰＥＧ−１００ステアレート及びグリセリルステアレートを添加する。次いで、加熱を４０°まで下げ、架橋アミノシロキサンポリマーのＯ／Ｗエマルションをベースコンディショナーに添加する。コンディショナーを５〜１０分間混合し、次に防腐剤を添加する。水の損失を補い、製剤を更に５分間混合する。コンディショナー製剤の最終ｐＨは、約６〜７である。
【０１４９】
【表５】
0006317473.tif 000024
【０１５０】
実施例７：コンディショニングシャンプー
この実施例を生成するため、脱イオン水を混合容器に添加する。中程度撹拌しながら、ポリクオタニウム−１０を完全に溶解するまで分散する。これを次に、７５℃に加熱し、ＰＥＧ−１５０ペンタエリスリチルテトラステアレートを連続的に混合しながら添加する。加熱を４０℃まで下げ、ラウリルエーテル硫酸ナトリウム、コカミドＤＥＡ、コカミドプロピルベタインをこの順番で添加する。完全に混合されたら、架橋アミノシロキサンポリマーのＯ／Ｗエマルションをベースシャンプーに添加する。シャンプーを５〜１０分間混合し、次いで、防腐剤を添加する。水の損失を補い、製剤を更に５分間混合する。シャンプー製剤の最終ｐＨは、約５．５〜６．０である。
【０１５１】
【表６】
0006317473.tif 000025
【０１５２】
上記実施例で処理した毛髪トレスは、縮れ抑制、カール保持、スタイリング、まとまり、縮毛矯正、形付け、色保護、並びに櫛通し及び手触り特性の改善等の全体的なコンディショニング効果を実証する。
【０１５３】
種々の非限定的実施形態において、本開示は、整理番号ＤＣ１１９３６ＰＳＰ１を有する現在提出されている米国特許仮出願の１種以上のエマルション、化合物、反応物質、方法工程、又は任意の他の部分を含み、上記出願はこれらの非限定的実施形態においてその全体が本明細書に明示的に組み込まれる。
【０１５４】
上記の値の１つ以上は、変動が本開示の範囲内に留まる限り、±５％、±１０％、±１５％、±２０％、±２５％等で変動してもよい。マーカッシュ群の各要素からは、他の全ての要素から独立して予期せぬ結果を得られる可能性がある。各要素は、それぞれ個々に及び／又は組み合わせにおいて依存し得るものであり、特許請求の範囲内において各具体的な実施形態に適切な裏付けを与える。独立請求項及び従属請求項の全ての組み合わせの主題は、単独従属でも、複数従属でも、本発明において明白に考慮されている。上記の任意及び全ての値又はその間の値の範囲も使用してもよいことが想到される。更に、上記の全ての化学、化合物、及び概念の全ての組み合わせ、並びに上記の下付き文字及び上付き文字の全ての値は、種々の非限定的実施形態において明示的に想到される。本開示は、説明の文言を含めて限定なものではなく、例示的なものである。本開示は上記の記載事実に照らして多くの修正及び変更が可能であり、また本開示は本願に具体的に記載したものと異なる形で実施することが可能である。
【０１５５】
実施形態
実施形態１．
Ａ．液体連続相と、
Ｂ．第１のシロキサン主鎖、第２のシロキサン主鎖、及び上記第１のシロキサン主鎖のケイ素原子と上記第２のシロキサン主鎖のケイ素原子とを架橋する少なくとも１つの分子内構造を含む架橋アミノシロキサンポリマーを含む分散相と、を含み、上記分子内構造が次の化学構造を有し、
【０１５６】
【化１９】
0006317473.tif 000026
【０１５７】
式中、Ｘは以下の基から選択され、
【０１５８】
【化２０】
0006317473.tif 000027
【０１５９】
式中、各Ｒは独立してＣ１〜Ｃ１０炭化水素基であり、
式中、各Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、ａは０又は１である、エマルション。
実施形態２．上記架橋アミノシロキサンポリマーが次の化学構造を有し、
【０１６０】
【化２１】
0006317473.tif 000028
【０１６１】
式中、Ｘ’は以下の基から選択され、
【０１６２】
【化２２】
0006317473.tif 000029
【０１６３】
式中、各Ｒは独立してＣ１〜Ｃ１０炭化水素基であり、
式中、各Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ２２のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂ及びｄのそれぞれは、独立して１〜１００であり、
式中、ｃ及びｅのそれぞれは、独立して１〜３，０００であり、かつ
式中、ａは０又は１である、実施形態１に記載のエマルション。
実施形態３．少なくとも１つのＲ１は独立してＣ１〜Ｃ６炭化水素基である、実施形態１又は２に記載のエマルション。
実施形態４．少なくとも１つのＲ２は水素原子である、実施形態１〜３のいずれか１つに記載のエマルション。
実施形態５．少なくとも１つのＲ２はＯＨである、実施形態１〜３のいずれか１つに記載のエマルション。
実施形態６．少なくとも１つのＲ２はＣ１〜Ｃ１２炭化水素基である、実施形態１〜３のいずれか１つに記載のエマルション。
実施形態７．少なくとも１つのＲ２はフェニル基である、実施形態１〜３のいずれか１つに記載のエマルション。
実施形態８．少なくとも１つのＲ２はＲ’（ＯＲ”）ｍ（式中、ｍは１〜３である）であり、Ｒ’及びＲ”のそれぞれは独立してアルキル基である、実施形態１〜３のいずれか１つに記載のエマルション。
実施形態９．少なくとも１つのＲ２はＲ’ＯＨであり、式中、Ｒ’はアルキル基である、実施形態１〜３のいずれか１つに記載のエマルション。
実施形態１０．上記第１のシロキサン主鎖が次の化学構造を有し、
【０１６４】
【化２３】
0006317473.tif 000030
【０１６５】
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、ｃは１〜３，０００であり、かつ
式中、Ｌは上記分子内構造である、実施形態１に記載のエマルション。
実施形態１１．上記第２のシロキサン主鎖が次の化学構造を有し、
【０１６６】
【化２４】
0006317473.tif 000031
【０１６７】
式中、Ｒ１４〜Ｒ２２のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｄは１〜１００であり、ｅは１〜３，０００であり、かつ
式中、Ｌは上記分子内構造である、実施形態１又は１０に記載のエマルション。
実施形態１２．Ｒ５〜Ｒ２２のそれぞれは水素原子である、実施形態１０又は１１に記載のエマルション。
実施形態１３．Ｒ５〜Ｒ２２の少なくとも１つは水素原子である、実施形態１０又は１１に記載のエマルション。
実施形態１４．Ｒ５〜Ｒ２２のそれぞれはＣ１〜Ｃ１２炭化水素基である、実施形態１０又は１１に記載のエマルション。
実施形態１５．Ｒ５〜Ｒ２２の少なくとも１つはＣ１〜Ｃ１２炭化水素基である、実施形態１０又は１１に記載のエマルション。
実施形態１６．Ｒ５〜Ｒ２２の少なくとも１つはフェニル基である、実施形態１０又は１１に記載のエマルション。
実施形態１７．Ｒ５〜Ｒ２２の少なくとも１つはＲ’（ＯＲ”）ｍ（式中、ｍは１〜３である）であり、Ｒ’及びＲ”のそれぞれは独立してアルキル基である、実施形態１０又は１１に記載のエマルション。
実施形態１８．Ｒ５〜Ｒ２２の少なくとも１つはＲ’ＯＨであり、式中、Ｒ’はアルキル基である、実施形態１０又は１１に記載のエマルション。
実施形態１９．Ｒ５〜Ｒ２２の少なくとも１つはメチル基である、実施形態１０又は１１に記載のエマルション。
実施形態２０．少なくとも１つのＲ１は独立してＣ１〜Ｃ６炭化水素基である、実施形態１０〜１９のいずれか１つに記載のエマルション。
実施形態２１．少なくとも１つのＲ２は水素原子である、実施形態１０〜２０のいずれか１つに記載のエマルション。
実施形態２２．少なくとも１つのＲ２はＣ１〜Ｃ１２炭化水素基である、実施形態１０〜２０のいずれか１つに記載のエマルション。
実施形態２３．少なくとも１つのＲ２はＯＨである、実施形態１０〜２０のいずれか１つに記載のエマルション。
実施形態２４．少なくとも１つのＲ２はフェニル基である、実施形態１０〜２０のいずれか１つに記載のエマルション。
実施形態２５．少なくとも１つのＲ２はＲ’（ＯＲ”）ｍ（式中、ｍは１〜３である）であり、Ｒ’及びＲ”のそれぞれは独立してアルキル基である、実施形態１０〜２０のいずれか１つに記載のエマルション。
実施形態２６．少なくとも１つのＲ２はＲ’ＯＨであり、式中、Ｒ’はアルキル基である、実施形態１０〜２０のいずれか１つに記載のエマルション。
実施形態２７．上記架橋アミノシロキサンポリマーがアミノ基を有するポリオルガノシロキサンとα，β−不飽和カルボン酸アミド基を有するポリオルガノシロキサンとの反応生成物を含む、実施形態１に記載のエマルション。
実施形態２８．上記アミノ基を有する上記ポリオルガノシロキサンが次の化学式を有し、
【０１６８】
【化２５】
0006317473.tif 000032
【０１６９】
式中、Ｒは独立してＣ１〜Ｃ１０炭化水素基であり、
式中、Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、
式中、ｃは１〜３，０００であり、かつ
式中、ａは０又は１である、実施形態２７に記載のエマルション。
実施形態２９．上記α，β−不飽和カルボン酸アミド基を有する上記ポリオルガノシロキサンが、次の化学式：
【０１７０】
【化２６】
0006317473.tif 000033
【化２７】
0006317473.tif 000034
【０１７１】
の１つを有し、式中、Ｒは独立してＣ１〜Ｃ１０炭化水素基であり、
式中、Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、
式中、ｃは１〜３，０００であり、かつ
式中、ａは０又は１である、実施形態２７又は２８に記載のエマルション。
実施形態３０．上記α，β−不飽和カルボン酸アミド基を有する上記ポリオルガノシロキサンが、第２のポリオルガノシロキサンと無水マレイン酸及び／又は無水イタコン酸との反応生成物であり、上記第２のポリオルガノシロキサンがアミノ基を有する、実施形態２９に記載のエマルション。
実施形態３１．上記無水マレイン酸及び／又は上記無水イタコン酸が、上記第２のオルガノポリシロキサンの上記アミノ基１モル当たり０．０１〜０．３３モルの量で反応する、実施形態３０に記載のエマルション。
実施形態３２．上記ポリオルガノシロキサンと上記第２のポリオルガノシロキサンとが同一である、実施形態３０又は３１に記載のエマルション。
実施形態３３．上記ポリオルガノシロキサンと上記第２のポリオルガノシロキサンとが異なる、実施形態３０又は３１に記載のエマルション。
実施形態３４．ａが１である、実施形態１〜３３のいずれか１つに記載のエマルション。
実施形態３５．ａが０である、実施形態１〜３３の１つに記載のエマルション。
実施形態３６．Ｒは独立してＣ１〜Ｃ６炭化水素基であり、ａは１である、実施形態１〜３３のいずれか１つに記載のエマルション。
実施形態３７．上記分散相の上記架橋アミノシロキサンポリマーがゲルである、実施形態１〜３６のいずれか１つに記載のエマルション。
実施形態３８．上記分散相の上記架橋アミノシロキサンポリマーが液体である、実施形態１〜３７のいずれか１つに記載のエマルション。
実施形態３９．上記架橋アミノシロキサンポリマーが上記連続相中に分散した粒子として存在し、上記分散粒子が１５μｍ未満の粒径を有する、実施形態１〜３８のいずれか１つに記載のエマルション。
実施形態４０．２５℃で１０〜３０，０００ｃｐｓの総粘度を有する、実施形態１〜３９のいずれか１つに記載のエマルション。
実施形態４１．上記架橋アミノシロキサンポリマーが、上記エマルション１００重量部当たり１０〜９０重量部の量で上記エマルション中に存在する、実施形態１〜４０のいずれか１つに記載のエマルション。
実施形態４２．１，０００，０００ｇ／モル以下のＭｗを有するポリジアルキルシロキサンを更に含み、上記ポリジアルキルシロキサンの上記アミノシロキサンポリマーに対する比が０．１〜１００である、実施形態１〜４１のいずれか１つに記載のエマルション。
実施形態４３．実施形態１〜４２のいずれかに記載のエマルションを含み、化粧品組成物、布地処理組成物、ヘアケア組成物、繊維ケア組成物、及びこれらの組み合わせから選択される、水性組成物。
実施形態４４．実施形態１〜４２のいずれか１つに記載のエマルションから形成されるフィルム。
実施形態４５．実施形態１〜４２のいずれか１つに記載のエマルションの化粧品成分としての使用。
実施形態４６．実施形態１〜４２のいずれか１つに記載のエマルションの布地処理剤としての使用。
実施形態４７．実施形態１〜４２のいずれか１つに記載のエマルションの繊維処理剤としての使用。
実施形態４８．実施形態１〜４２のいずれか１つに記載のエマルションを含む化粧品組成物。
実施形態４９．実施形態１〜４２のいずれか１つに記載のエマルションを含むヘアケア組成物。
実施形態５０．実施形態１〜４２のいずれか１つに記載のエマルションを含む布地処理組成物。
実施形態５１．実施形態１〜４２のいずれか１つに記載のエマルションを含む繊維処理組成物。
実施形態５２．エマルション内で架橋アミノシロキサンポリマーを生成する方法であって、上記方法が、
Ｉ．第１の連続相とアミノ基を有するポリオルガノシロキサンを含む第１の分散相とを含む第１のエマルションを提供する工程、
ＩＩ．無水マレイン酸及び／又は無水イタコン酸を提供する工程、
ＩＩＩ．無水マレイン酸及び／又は無水イタコン酸と上記第１のエマルションとを組み合わせて、第２のエマルション及び第２のエマルション中にその場で架橋アミノシロキサンポリマーを生成する工程、
を含み、第２のエマルションが第２の連続相と架橋アミノシロキサンポリマーを含む第２の分散相とを含み、
架橋アミノシロキサンポリマーは、第１のシロキサン主鎖、第２のシロキサン主鎖、及び第１のシロキサン主鎖のケイ素原子と第２のシロキサン主鎖のケイ素原子とを架橋する少なくとも１つの分子内構造を含み、上記分子内構造が次の化学構造を有し、
【０１７２】
【化２８】
0006317473.tif 000035
【０１７３】
式中、Ｘは以下の基から選択され、
【０１７４】
【化２９】
0006317473.tif 000036
【０１７５】
式中、各Ｒは独立してＣ１〜Ｃ１０炭化水素基であり、
式中、各Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、ａは０又は１である、方法。
実施形態５３．第２のエマルションを２０℃から８０℃の温度に加熱する工程を更に含む、実施形態５２に記載の方法。
実施形態５４．第２のエマルションが、水中油型エマルションとして更に定義される、実施形態５２又は５３に記載の方法。
実施形態５５．無水マレイン酸及び／又は無水イタコン酸を提供する工程が、アミノ基を有するポリオルガノシロキサンのアミノ基１モル当たり０．０１〜０．４モルの無水マレイン酸及び／又は無水イタコン酸を提供する工程として更に定義される、実施形態５２〜５４のいずれか１つに記載の方法。
実施形態５６．アミノ基を有するポリオルガノシロキサンが次の化学式を有し、
【０１７６】
【化３０】
0006317473.tif 000037
【０１７７】
式中、Ｒは独立してＣ１〜Ｃ１０炭化水素基であり、
式中、Ｒ１は独立してＣ１〜Ｃ１０炭化水素基であり、
式中、Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、又はポリアルキレンオキシ基であり、
式中、ｂは１〜１００であり、
式中、ｃは１〜３，０００であり、かつ
式中、ａは０又は１である、実施形態５２〜５５のいずれか１つに記載の方法。
実施形態５７．マレイン酸がアミノ基を有するポリオルガノシロキサンと反応して、第２のエマルションの第２の分散相内にその場でポリオルガノシロキサンを生成し、このポリオルガノシロキサンがα，β−不飽和カルボン酸アミド基を有する、実施形態５２〜５６のいずれか１つに記載の方法。
実施形態５８．α，β−不飽和カルボン酸アミド基を有するポリオルガノシロキサンが、次の化学式を有し、
【０１７８】
【化３１】
0006317473.tif 000038
【０１７９】
式中、Ｒは独立してＣ１〜Ｃ１０炭化水素基であり、
式中、Ｒ１は独立してＣ１〜Ｃ１０炭化水素基であり、
式中、Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、かつ
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、又はポリアルキレンオキシ基であり、
式中、ｂは１〜１００であり、
式中、ｃは１〜３，０００であり、かつ
式中、ａは０又は１である、実施形態５７に記載の方法。
実施形態５９．α，β−不飽和カルボン酸アミド基を有するポリオルガノシロキサンが、アミノ基を有するポリオルガノシロキサンとその場で反応して第２のエマルションの第２の分散相内に架橋アミノシロキサンポリマーを生成する、実施形態５７又は５８に記載の方法。
実施形態６０．アミノシロキサンポリマーが次の化学構造を有し、
【０１８０】
【化３２】
0006317473.tif 000039
【０１８１】
式中、Ｒは独立してＣ１〜Ｃ１０炭化水素基であり、
式中、Ｒ１は独立してＣ１〜Ｃ１０炭化水素基であり、
式中、各Ｒ２は独立して水素原子、ＯＨ、Ｃ１〜Ｃ１２炭化水素基、フェニル基、Ｒ’（ＯＲ”）ｍ（ｍは１〜３である）、又はＲ’ＯＨであり、式中、Ｒ’及びＲ”のそれぞれは独立してアルキル基であり、
式中、Ｒ５〜Ｒ１３のそれぞれは独立して水素原子、Ｃ１〜Ｃ１２炭化水素基、Ｃ２〜Ｃ１２アルケニル基、Ｃ６〜Ｃ１２芳香族基、Ｒ’（ＯＲ”）ｍ又はポリアルキレンオキシ基であり、式中、Ｒ’及びＲ”のそれぞれは独立してアルキル基であり、ｍは１〜３であり、
式中、ｂは１〜１００であり、
式中、ｃは１〜３，０００であり、かつ
式中、ａは０又は１である、実施形態５２〜５９のいずれか１つに記載の方法。
実施形態６１．アミノ基を有するポリオルガノシロキサンが、第１のエマルション１００重量部当たり１０〜７０重量部の量で第１のエマルションの第１の分散相中に存在する、実施形態５２〜６０のいずれか１つに記載の方法。
実施形態６２．アミノ基を有するポリオルガノシロキサンが、第２のエマルション１００重量部当たり１０〜７０重量部の量で第２のエマルションの第２の分散相中に存在する、実施形態５２〜６１のいずれか１つに記載の方法。
実施形態６３．無水マレイン酸及び／又は無水イタコン酸が、第２のエマルション１００重量部当たり１０〜９０重量部の量で第２のエマルションの第２の分散相中に存在する、実施形態５２〜６２のいずれか１つに記載の方法。
実施形態６４．第１の分散相及び／又は第２の分散相が、１，０００，０００ｇ／モル以下のＭｗを有するポリジアルキルシロキサンを更に含む、実施形態５２〜６３のいずれか１つに記載の方法。
実施形態６５．第２の分散相がポリジアルキルシロキサンを含み、ポリジアルキルシロキサンのアミノシロキサンポリマーに対する比が０．１〜１００である、実施形態６４に記載の方法。
【図１】
0006317473.tif 000054
【図２】
0006317473.tif 000055